(57)【要約】  リリースメッセージ及びサスペンドメッセージのいずれかを受信したことの結果としてウェイトタイマを更新する、及び／又は無線デバイス（ＷＤ）に伝送されるべきリリースメッセージ及びサスペンドメッセージのいずれかを決定することにより、ウェイトタイマを更新するようにＷＤをコンフィグするための方法及び装置が開示される。【選択図】図９
2021525462.tif 000002
【特許請求の範囲】
【請求項１】
無線デバイス（ＷＤ（２２））における方法であって、
ネットワークノード（１６）から、リリースメッセージとサスペンドメッセージとのいずれかを受信すること（Ｓ１３８）と、
前記リリースメッセージ及び前記サスペンドメッセージの前記いずれかを受信したことの結果としてウェイトタイマを更新すること（Ｓ１４０）と、
を含む方法。
【請求項２】
前記ウェイトタイマは、Ｔ３０２タイマである、請求項１に記載の方法。
【請求項３】
前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの受信に応答して前記ウェイトタイマを停止することを含む、請求項１又は２に記載の方法。
【請求項４】
前記リリースメッセージ及び前記サスペンドメッセージの前記いずれかを受信したことの結果として前記ウェイトタイマを更新することは、さらに、前記リリースメッセージ及び前記サスペンドメッセージの前記いずれかにおいて特定されたウェイト値に従って前記ウェイトタイマを更新することを含む、請求項１又は２に記載の方法。
【請求項５】
前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの中の、前記ウェイトタイマが作動している場合には停止すべきであることを示すインジケータを特定したことに応答して、前記ウェイトタイマを停止することを含む、請求項１又は２に記載の方法。
【請求項６】
前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの中に、前記ウェイトタイマがすでに作動している場合には継続して作動すべきことを示すインジケータがないことを特定したことに応答して、前記ウェイトタイマを停止することを含む、請求項１又は２に記載の方法。
【請求項７】
前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの受信に応答して、前記ウェイトタイマをリスタートすることを含む、請求項１又は２に記載の方法。
【請求項８】
前記リリースメッセージ及び前記サスペンドメッセージの前記いずれかは、無線リソース制御（ＲＲＣ）リリースメッセージとＲＲＣサスペンドメッセージとのいずれかである、請求項１から７のいずれか１項に記載の方法。
【請求項９】
前記ネットワークノード（１６）へレジューム要求メッセージを伝達することをさらに含み、前記リリースメッセージ及び前記サスペンドメッセージの前記いずれかは当該レジューム要求メッセージの伝達の結果として受信される、請求項１から８のいずれか１項に記載の方法。
【請求項１０】
無線デバイス（ＷＤ（２２））における方法であって、
ウェイトタイマが作動中に、下位レイヤにおいて完全性保護検証エラーを検出すること（Ｓ１４２）と、
前記完全性保護検証エラーの前記検出の結果として、前記ウェイトタイマを更新すること（Ｓ１４４）と、
を含む方法。
【請求項１１】
前記ウェイトタイマはＴ３０２タイマである、請求項１０に記載の方法。
【請求項１２】
前記完全性保護検証エラーの前記検出の結果として前記ウェイトタイマを更新することは、前記完全性保護検証エラーの前記検出に応答して前記ウェイトタイマを停止することをさらに含む、請求項１０又は１１に記載の方法。
【請求項１３】
前記完全性保護検証エラーの前記検出の結果として前記ウェイトタイマを更新することは、前記完全性保護検証エラーの前記検出に応答して前記ウェイトタイマを再開することをさらに含む、請求項１０又は１１に記載の方法。
【請求項１４】
前記ウェイトタイマが作動中に前記下位レイヤにおいて前記完全性保護検証エラーを検出することは、Ｔ３００Ｘタイマが満了したことを検出することと、前記Ｔ３００Ｘタイマが作動中に完全性チェック障害を検出したこととの少なくともいずれかを含む、請求項１０から１３のいずれか１項に記載の方法。
【請求項１５】
無線デバイス（ＷＤ（２２））と通信するように構成されたネットワークノード（１６）における方法であって、
前記ＷＤ（２２）から、レジューム要求メッセージを受信すること（Ｓ１３４）と、
前記レジューム要求メッセージを受信したことの結果として、前記ＷＤ（２２）のウェイトタイマをコンフィグするリリースメッセージとサスペンドメッセージとのいずれかを前記ＷＤ（２２）に伝達することを決定すること（Ｓ１３６）と、
を含む方法。
【請求項１６】
前記リリースメッセージ及び前記サスペンドメッセージの前記いずれかは、無線リソース制御（ＲＲＣ）リリースメッセージとＲＲＣサスペンドメッセージとのいずれかである、請求項１５に記載の方法。
【請求項１７】
前記ウェイトタイマはＴ３０２タイマである、請求項１５又は１６に記載の方法。
【請求項１８】
前記ＷＤ（２２）の前記ウェイトタイマをコンフィグするために前記リリースメッセージ及び前記サスペンドメッセージの前記いずれかを決定することは、前記リリースメッセージ及び前記サスペンドメッセージの前記いずれかの受信に応答して停止するように前記ＷＤ（２２）の前記ウェイトタイマをコンフィグすることをさらに含む、請求項１５から１７のいずれか１項に記載の方法。
【請求項１９】
前記ＷＤ（２２）の前記ウェイトタイマをコンフィグするために前記リリースメッセージ及び前記サスペンドメッセージの前記いずれかを決定することは、前記リリースメッセージ及び前記サスペンドメッセージの前記いずれかに含められたウェイト値に従って、前記ウェイトタイマを更新するように、前記ＷＤ（２２）の前記ウェイトタイマをコンフィグすることをさらに含む、請求項１５から１７のいずれか１項に記載の方法。
【請求項２０】
前記ＷＤ（２２）の前記ウェイトタイマをコンフィグするために前記リリースメッセージ及び前記サスペンドメッセージの前記いずれかを決定することは、前記リリースメッセージ及び前記サスペンドメッセージの前記いずれかの中で、前記ウェイトタイマが作動中である場合に停止すべきであることを示すインジケータを特定したことに応答して停止するように、前記ＷＤ（２２）の前記ウェイトタイマをコンフィグすることをさらに含む、請求項１５から１７のいずれか１項に記載の方法。
【請求項２１】
前記ＷＤ（２２）の前記ウェイトタイマをコンフィグするために前記リリースメッセージ及び前記サスペンドメッセージの前記いずれかを決定することは、前記リリースメッセージ及び前記サスペンドメッセージの前記いずれかの中で、前記ウェイトタイマが既に作動中である場合にその作動を継続すべきことを示すインジケータがないことを特定したことに応答して停止するように、前記ＷＤ（２２）の前記ウェイトタイマをコンフィグすることをさらに含む、請求項１５から１７のいずれか１項に記載の方法。
【請求項２２】
前記ＷＤ（２２）の前記ウェイトタイマをコンフィグするために前記リリースメッセージ及び前記サスペンドメッセージの前記いずれかを決定することは、前記リリースメッセージ及び前記サスペンドメッセージの前記いずれかの受信に応答して、前記ウェイトタイマを再開するように、前記ＷＤ（２２）の前記ウェイトタイマをコンフィグすることをさらに含む、請求項１５から１７のいずれか１項に記載の方法。
【請求項２３】
前記レジューム要求メッセージを受信したことの結果として、前記リリースメッセージ及び前記サスペンドメッセージの前記いずれかを前記ＷＤ（２２）へ伝達することをさらに含む、請求項１５から２２のいずれか１項に記載の方法。
【請求項２４】
ネットワークノード（１６）と通信するように構成された無線デバイス（ＷＤ（２２））であって、当該ＷＤ（２２）は処理回路（８４）を有し、当該処理回路（８４）は、
リリースメッセージ及びサスペンドメッセージのいずれかを前記ネットワークノード（１６）から受信し、
前記リリースメッセージ及び前記サスペンドメッセージの前記いずれかを受信した結果としてウェイトタイマを更新する、
ように構成される無線デバイス。
【請求項２５】
前記ウェイトタイマはＴ３０２タイマである、請求項２４に記載の無線デバイス。
【請求項２６】
前記処理回路（８４）は、前記リリースメッセージ及び前記サスペンドメッセージの前記いずれかの受信に応答して前記ウェイトタイマを停止するように構成されることにより、前記リリースメッセージ及び前記サスペンドメッセージの前記いずれかを受信した結果として前記ウェイトタイマを更新するように構成される、請求項２４又は２５に記載の無線デバイス。
【請求項２７】
前記処理回路（８４）は、前記リリースメッセージ及び前記サスペンドメッセージの前記いずれかにおいて特定されたウェイト値に従って前記ウェイトタイマを更新するように構成されることにより、前記リリースメッセージ及び前記サスペンドメッセージの前記いずれかを受信した結果として前記ウェイトタイマを更新するようにさらに構成される、請求項２４又は２５に記載の無線デバイス。
【請求項２８】
前記処理回路（８４）は、前記リリースメッセージ及び前記サスペンドメッセージの前記いずれかの中で、前記ウェイトタイマが作動中である場合には停止すべきであることを示すインジケータを特定したことに応答して、前記ウェイトタイマを停止するように構成されることにより、前記リリースメッセージ及び前記サスペンドメッセージの前記いずれかを受信した結果として前記ウェイトタイマを更新するようにさらに構成される、請求項２４又は２５に記載の無線デバイス。
【請求項２９】
前記処理回路（８４）は、前記リリースメッセージ及び前記サスペンドメッセージの前記いずれかの中で、前記ウェイトタイマがすでに作動中である場合にその作動を継続すべきであることを示すインジケータがないことを特定したことに応答して、前記ウェイトタイマを停止するように構成されることにより、前記リリースメッセージ及び前記サスペンドメッセージの前記いずれかを受信した結果として前記ウェイトタイマを更新するようにさらに構成される、請求項２４又は２５に記載の無線デバイス。
【請求項３０】
前記処理回路（８４）は、前記リリースメッセージ及び前記サスペンドメッセージの前記いずれかの受信に応答して前記ウェイトタイマを再開するように構成されることにより、前記リリースメッセージ及び前記サスペンドメッセージの前記いずれかを受信した結果として前記ウェイトタイマを更新するようにさらに構成される、請求項２４又は２５に記載の無線デバイス。
【請求項３１】
前記リリースメッセージ及び前記サスペンドメッセージの前記いずれかは、無線リソース制御（ＲＲＣ）リリースメッセージ及びＲＲＣサスペンドメッセージのいずれかである、請求項２４から３０のいずれか１項に記載の無線デバイス。
【請求項３２】
前記処理回路（８４）は、レジューム要求メッセージを前記ネットワークノード（１６）へ伝達するようにさらに構成され、前記レジューム要求メッセージを伝送したことの結果として、前記リリースメッセージ及び前記サスペンドメッセージの前記いずれかが受信される、請求項２４から３１のいずれか１項に記載の無線デバイス。
【請求項３３】
ネットワークノード（１６）と通信するように構成された無線デバイス（ＷＤ（２２））であって、当該ＷＤ（２２）は処理回路（８４）を有し、当該処理回路（８４）は、
ウェイトタイマが作動中に下位レイヤにおいて完全性保護検証エラーを検出し、
前記完全性保護検証エラーの前記検出の結果として、前記ウェイトタイマを更新する、
ように構成される、無線デバイス。
【請求項３４】
前記ウェイトタイマはＴ３０２タイマである、請求項３３に記載の無線デバイス。
【請求項３５】
前記処理回路（８４）は、完全性保護検証エラーの前記検出に応答して前記ウェイトタイマを停止するように構成されることにより、前記完全性保護検証エラーの前記検出の結果として、前記ウェイトタイマを更新するようにさらに構成される、請求項３３又は３４に記載の無線デバイス。
【請求項３６】
前記処理回路（８４）は、前記完全性保護検証エラーの前記検出に応答して前記ウェイトタイマを再開するように構成されることにより、前記完全性保護検証エラーの前記検出の結果として、前記ウェイトタイマを更新するようにさらに構成される、請求項３３又は３４に記載の無線デバイス。
【請求項３７】
前記処理回路（８４）は、Ｔ３００Ｘタイマが満了したことを検出するか前記Ｔ３００Ｘタイマが作動中に完全性チェック障害を検出するかの少なくともいずれかを行うように構成されることによって、前記ウェイトタイマが作動中に前記下位レイヤにおいて前記完全性保護検証エラーを検出するようにさらに構成される、請求項３３から３６のいずれか１項に記載の無線デバイス。
【請求項３８】
無線デバイス（ＷＤ（２２））と通信するように構成されたネットワークノード（１６）であって、当該ネットワークノード（１６）は処理回路（６８）を有し、当該処理回路（６８）は、
前記ＷＤ（２２）から、レジューム要求メッセージを受信し、
前記ＷＤ（２２）のウェイトタイマをコンフィグするリリースメッセージ及びサスペンドメッセージのいずれかを前記ＷＤ（２２）へ伝達することを決定する、
ように構成される、ネットワークノード。
【請求項３９】
前記リリースメッセージ及び前記サスペンドメッセージの前記いずれかは、無線リソース制御（ＲＲＣ）リリースメッセージ及びＲＲＣサスペンドメッセージのいずれかである、請求項３８に記載のネットワークノード。
【請求項４０】
前記ウェイトタイマはＴ３０２タイマである、請求項３８又は３９に記載のネットワークノード。
【請求項４１】
前記処理回路（６８）は、前記リリースメッセージ及び前記サスペンドメッセージの前記いずれかの受信に応答して停止するように前記ＷＤ（２２）の前記ウェイトタイマをコンフィグするように構成されることにより、前記ＷＤ（２２）の前記ウェイトタイマをコンフィグするために前記リリースメッセージ及び前記サスペンドメッセージの前記いずれかを決定するようにさらに構成される、請求項３８から４０のいずれか１項に記載のネットワークノード。
【請求項４２】
前記処理回路（６８）は、前記リリースメッセージ及び前記サスペンドメッセージの前記いずれかに含められるウェイト値に従って前記ウェイトタイマを更新するように前記ＷＤ（２２）の前記ウェイトタイマをコンフィグするように構成されることにより、前記ＷＤ（２２）の前記ウェイトタイマをコンフィグするために前記リリースメッセージ及び前記サスペンドメッセージの前記いずれかを決定するようにさらに構成される、請求項３８から４０のいずれか１項に記載のネットワークノード。
【請求項４３】
前記処理回路（６８）は、前記リリースメッセージ及び前記サスペンドメッセージの前記いずれかの中の、前記ウェイトタイマが作動している場合には停止されるべきであることを示すインジケータを特定したことに応答して停止するように前記ＷＤ（２２）の前記ウェイトタイマをコンフィグするように構成されることにより、前記ＷＤ（２２）の前記ウェイトタイマをコンフィグするために前記リリースメッセージ及び前記サスペンドメッセージの前記いずれかを決定するようにさらに構成される、請求項３８から４０のいずれか１項に記載のネットワークノード。
【請求項４４】
前記処理回路（６８）は、前記リリースメッセージ及び前記サスペンドメッセージの前記いずれかの中に前記ウェイトタイマが既に作動している場合にその作動を継続すべきことを示すインジケータがないことを特定したことに応答して停止するように、前記ＷＤ（２２）の前記ウェイトタイマをコンフィグすることにより、前記ＷＤ（２２）の前記ウェイトタイマをコンフィグするために前記リリースメッセージ及び前記サスペンドメッセージの前記いずれかを決定するようにさらに構成される、請求項３８から４０のいずれか１項に記載のネットワークノード。
【請求項４５】
前記処理回路（６８）は、前記リリースメッセージ及び前記サスペンドメッセージの前記いずれかの受信に応答して前記ウェイトタイマを再開するように前記ＷＤ（２２）の前記ウェイトタイマをコンフィグすることにより、前記ＷＤ（２２）の前記ウェイトタイマをコンフィグするために前記リリースメッセージ及び前記サスペンドメッセージの前記いずれかを決定するようにさらに構成される、請求項３８から４０のいずれか１項に記載のネットワークノード。
【請求項４６】
前記処理回路（６８）は、前記レジューム要求メッセージを受信した結果として、前記リリースメッセージ及び前記サスペンドメッセージの前記いずれかを前記ＷＤ（２２）へ伝達するようにさらに構成される、請求項３８から４５のいずれか１項に記載のネットワークノード。
【発明の詳細な説明】
【技術分野】
【０００１】
本開示は、無線通信に関し、具体的には、リジェクトウェイティングタイムを処理するための装置及び方法に関する。
【背景技術】
【０００２】
ロングタームエボリューション（ＬＴＥ）における例示の無線リソース制御（ＲＲＣ）Ｃｏｎｎｅｃｔｉｏｎ  Ｒｅｓｕｍｅ
第３世代パートナーシッププロジェクト（３ＧＰＰ）のＬＴＥリリース１３（Ｒｅｌ−１３）では、無線デバイス（ＷＤ）（例えば、ユーザ端末（ＵＥ））を、ＲＲＣ＿ＩＤＬＥと類似のしかしＷＤがアクセス層（ＡＳ）コンテキスト又はＲＲＣコンテキストを記憶する点で異なるサスペンド状態においてネットワークによって停止させる機構が導入された。これは、ＲＲＣ接続を最初から確立するのに代えて、ＲＲＣ接続を再開することにより、ＷＤが再びアクティブになる際のシグナリングを低減することを可能とする。シグナリングの低減は、例えばインターネットにアクセスするスマートフォンのためのレイテンシの削減、及び／又は、シグナリングの削減により得られる非常に小さいデータを送信するマシンタイプデバイスのためのバッテリ消費の削減などの、いくつかの利点を有しうる。
【０００３】
このようなＲｅｌ−１３のソリューションは、ＷＤがＲＲＣＣｏｎｎｅｃｔｉｏｎＲｅｓｕｍｅＲｅｑｕｅｓｔメッセージをネットワークへ送信し、応答として、ＷＥがＲＲＣＣｏｎｎｅｃｔｉｏｎＲｅｓｕｍｅメッセージをネットワークから受信することに基づく。ＲＲＣＣｏｎｎｅｃｔｉｏｎＲｅｓｕｍｅは、暗号化されなくてもよいが、完全性が保護されうる。
【０００４】
ＮＲにおける及び場合によってはＬＴＥ  Ｒｅｌ−１５におけるＲＲＣ＿ＩＮＡＣＴＩＶＥ
３ＧＰＰにおける５ＧのＮｅｗ  Ｒａｄｉｏ（ＮＲ）の標準化活動の一部として、ＮＲが、ＬＴＥ  Ｒｅｌ−１３におけるサスペンド状態と同様の特性を有するＲＲＣ＿ＩＮＡＣＴＩＶＥ状態をサポートすべきであることが検討されている。ＲＲＣ＿ＩＮＡＣＴＩＶＥは、別個のＲＲＣ状態でありＬＴＥでのようなＲＲＣ＿ＩＤＬＥの一部ではないという点で、後の状態と若干異なる特性を有する。さらに、ＣＮ／ＲＡＮ接続（ＮＧ又はＮ２インタフェース）は、ＬＴＥではサスペンドされたが、ＲＲＣ＿ＩＮＡＣＴＩＶＥのために維持されうる。図１は、ＮＲにおける取り得る状態遷移の例を示している。
【０００５】
図１に示す状態の特性のいくつかは以下のようなものでありうる。
【０００６】
ＲＲＣ＿ＩＤＬＥ：
−ＷＤ固有の不連続受信（ＤＲＸ）が上位レイヤによって設定されうる；
−ネットワークコンフィグに基づくＷＤ制御のモビリティ；
−ＷＤは：
−５Ｇ−ＳＡＥ−一時移動加入者アイデンティティ（ＴＭＳＩ）を用いるコアネットワーク（ＣＮ）ページングのためにページングチャネルを監視し；
−隣接セル測定及びセル（再）選択を実行し；
−システム情報を取得する。
【０００７】
ＲＲＣ＿ＩＮＡＣＴＩＶＥ：
−ＷＤ固有のＤＲＸが上位レイヤによって又はＲＲＣレイヤによって設定されうる；
−ネットワークコンフィグに基づくＷＤ制御のモビリティ；
−ＷＤはＡＳコンテキストを記憶する；
−ＷＤは：
−５Ｇ−Ｓ−ＴＭＳＩを用いたＣＮページングと、インフォメーション−無線ネットワーク一時識別子（Ｉ−ＲＮＴＩ）を用いた無線アクセスネットワーク（ＲＡＮ）ページングのためにページングチャネルを監視し；
−隣接セル測定及びセル（再）選択を実行し；
−ＲＡＮベースの通知エリアの周期的及びＲＡＮベースの通知エリアの外部に移動した際の更新を実行し；
−システム情報を取得する。
【０００８】
ＲＲＣ＿ＣＯＮＮＥＣＴＥＤ：
−ＷＤは、ＡＳコンテキストを記憶する；
−ＷＤからの／ＷＤへのユニキャストデータの転送；
−下位レイヤにおいて、ＷＤは、ＷＤ固有のＤＲＸで設定されうる；
−キャリアアグリゲーション（ＣＡ）をサポートするＷＤに対して、帯域幅の増加のために、プライマリサービングセル（ＳｐＣｅｌｌ）と集約される１つ以上のセカンダリセル（Ｓｃｅｌｌ）の使用；
−デュアルコネクティビティ（ＤＣ）をサポートするＷＤに対して、帯域幅の増加のために、マスタセルグループ（ＭＣＧ）と集約される１つのセカンダリセルグループ（ＳＣＧ）の使用；
−ネットワーク制御のモビリティ、すなわち、ＮＲ内での、および、エボルブドユニバーサル地上無線アクセス（Ｅ−ＵＴＲＡＮ）への／Ｅ−ＵＴＲＡＮからのハンドオーバ；
−ＷＤは：
−ページングチャネルを監視し；
−共有データチャネルに対してデータがスケジューリングされているかを判定するために、その共有データチャネルと関連付けられた制御チャネルを監視し；
−チャネル品質及びフィードバック情報を提供し；
−隣接セル測定及び測定報告を実行し；
−システム情報を取得する。
【０００９】
ＬＴＥにおけるリジェクトシナリオ（過負荷シナリオ）
ＬＴＥにおいて、ネットワークは、（図２に示すような）ＲＲＣ  Ｒｅｓｕｍｅ  Ｒｅｑｕｅｓｔへの応答として、例えば、過負荷条件の場合に、又は、（図３に示すような）ＲＲＣ  Ｃｏｎｎｅｃｔｉｏｎ  Ｅｓｔａｂｌｉｓｈｍｅｎｔへの応答として、待ち時間を有するＲＲＣ  Ｒｅｊｅｃｔメッセージを送信することができる。
【００１０】
以下に示すように、３ＧＰＰ技術仕様（ＴＳ）３６．３３１からの以下の抜粋により示される、Ｒｅｊｅｃｔメッセージは、待ち時間の値を含むことができ、そのメッセージを受信したことに応じて、ＷＤは、Ｔ３０２と呼ばれるタイマを開始し、上位レイヤに通知する。ＴＳ３６．３３１によれば、ＷＤによるＲＲＣＣｏｎｎｅｃｔｉｏｎＲｅｊｅｃｔの受信は、ＷＤが：
・タイマＴ３００を停止し；
・媒体アクセス制御（ＭＡＣ）をリセットし、ＭＡＣコンフィグをリリースし；
・狭帯域インターネットオブシングズ（ＮＢ−ＩｏＴ）を除き、タイマ値をｗａｉｔＴｉｍｅに設定したタイマＴ３０２を開始し；
・ＷＤがＮＢ−ＩｏＴのＷＤである場合、又は
・ｅｘｔｅｎｄｅｄＷａｉｔＴｉｍｅが存在し、ＷＤが遅延耐性のあるアクセスをサポートしている場合、
・ｅｘｔｅｎｄｅｄＷａｉｔＴｉｍｅを上位レイヤに転送し；
・ｄｅｐｒｉｏｒｉｔｉｓａｔｉｏｎＲｅｑが含まれ、ＷＤが優先順位の降下（ｄｅｐｒｉｏｒｉｔｉｓａｔｉｏｎ）を含んだＲＲＣ  Ｃｏｎｎｅｃｔｉｏｎ  Ｒｅｊｅｃｔをサポートする場合、
・シグナリングされたｄｅｐｒｉｏｒｉｔｉｓａｔｉｏｎＴｉｍｅｒに設定したタイマ値を有するタイマＴ３２５を開始または再開し；
・Ｔ３２５が満了するまでｄｅｐｒｉｏｒｉｔｉｓａｔｉｏｎＲｅｑを記憶し；
・註：ＷＤは、別途特定されない限り、（専用の又は共通のシグナリングによる）任意のセル再選択の絶対的な優先度割り当てによらずに、および、Ｅ−ＵＴＲＡＮ又は他のＲＡＴにおけるＲＲＣ接続によらず、優先順位の降下要求を記憶する。
・ＲＲＣＣｏｎｎｅｃｔｉｏｎＲｅｓｕｍｅＲｅｑｕｅｓｔに応答してＲＲＣＣｏｎｎｅｃｔｉｏｎＲｅｊｅｃｔが受信された場合、
・ｒｒｃ−ＳｕｓｐｅｎｄＩｎｄｉｃａｔｉｏｎが存在しない場合、
・記憶しているＷＤのＡＳコンテキストおよびｒｅｓｕｍｅＩｄｅｎｔｉｔｙを破棄し；
・上位レイヤに、サスペンド表示を伴わないＲＲＣ接続の再開の失敗について、そして、モバイル発信呼、モバイル発信シグナリング、モバイル終端アクセスに対する、そして、ＮＢ−ＩｏＴを除いてモバイル発信ＣＳフォールバックに対するアクセス禁止（access barring）が適用可能であり、それに応じて手順が終了することを、通知し；
・それ以外の場合、
・ＳＲＢ１をサスペンドし、
・上位レイヤに、サスペンド表示を伴うＲＲＣ接続の再開の失敗について、そして、モバイル発信呼、モバイル発信シグナリング、モバイル終端アクセスに対する、そして、ＮＢ−ＩｏＴを除いてモバイル発信ＣＳフォールバックに対するアクセス禁止が適用可能であり、それに応じて手順が終了することを、通知し；
・それ以外の場合、
・上位レイヤに、ＲＲＣ接続の確立の失敗について、そして、モバイル発信呼、モバイル発信シグナリング、モバイル終端アクセスに対する、およびＮＢ−ＩｏＴを除いてモバイル発信ＣＳフォールバックに対するアクセス禁止が適用可能であり、それに応じて手順が終了することを通知する、
ことができることを含みうる。
【００１１】
技術仕様において定義されているＴ３０２についての別の態様は、Ｔ３０２タイマを停止する基準であり、ＷＤは、そのタイマの満了に応じて動作する。ＬＴＥでは、以下の３ＧＰＰ  ＴＳ３６．３３１からの抜粋によって以下に示されるように、ＷＤがＲＲＣＣｏｎｎｅｃｔｉｏｎＲｅｓｕｍｅまたはＲＲＣＣｏｎｎｅｃｔｉｏｎＳｅｔｕｐを受信した場合に、タイマが停止されうる。
【００１２】
３ＧＰＰ  ＴＳ３６．３３１からの抜粋は以下の通りである。
・ＷＤによるＲＲＣＣｏｎｎｅｃｔｉｏｎＳｅｔｕｐの受信
・註：これに先立って、Ｃ−ＲＮＴＩを割り当てるために下位レイヤシグナリングが用いられる。さらなる詳細のために、ＴＳ３６．３２１を参照されたい；
・ＷＤは、
１＞ＲＲＣＣｏｎｎｅｃｔｉｏｎＲｅｓｕｍｅＲｅｑｕｅｓｔに応答して、ＲＲＣＣｏｎｎｅｃｔｉｏｎＳｅｔｕｐが受信された場合、
２＞記憶しているＷＤのＡＳコンテキスト及びｒｅｓｕｍｅＩｄｅｎｔｉｔｙを破棄し；
２＞上位レイヤに対して、ＲＲＣ接続の再開がフォールバックされたことを示し；
１＞受信したｒａｄｉｏＲｅｓｏｕｒｃｅＣｏｎｆｉｇＤｅｄｉｃａｔｅｄに従って、また、５．３．１０に特定されるように、無線リソース設定手順を実行し；
１＞記憶されている場合、ｉｄｌｅＭｏｄｅＭｏｂｉｌｉｔｙＣｏｎｔｒｏｌＩｎｆｏによって提供される、又は、他のＲＡＴから受け継がれた、セル再選択優先度情報を破棄し；
１＞記憶されている場合、ｒｅｄｉｒｅｃｔｅｄＣａｒｒｉｅｒＯｆｆｓｅｔＤｅｄｉｃａｔｅｄによって提供される固有オフセットを破棄し；
１＞タイマＴ３００を停止し；
１＞作動している場合、タイマＴ３０２を停止し；
１＞作動している場合、タイマＴ３０３を停止し；
１＞作動している場合、タイマＴ３０５を停止し；
１＞作動している場合、タイマＴ３０６を停止し；
１＞作動している場合、タイマＴ３０８を停止し；
１＞５．３．３．７において特定される動作を実行し；
１＞作動している場合、タイマＴ３２０を停止し；
１＞作動している場合、タイマＴ３５０を停止し；
１＞５．６．１２．４において特定される動作を実行し；
１＞５．６．１６．２に特定されるように、設定されている場合、ｒｃｌｗｉ−Ｃｏｎｆｉｇｕｒａｔｉｏｎをリリースし；
１＞作動している場合、タイマＴ３６０を停止し；
１＞作動している場合、タイマＴ３２２を停止し；
１＞ＲＲＣ＿ＣＯＮＮＥＣＴＥＤに入り；
１＞セル再選択手順を停止し；
１＞現在のセルをＰＣｅｌｌと見なし；
１＞ＲＲＣＣｏｎｎｅｃｔｉｏｎＳｅｔｕｐＣｏｍｐｌｅｔｅメッセージの内容を以下のように設定し；
２＞ＲＲＣＣｏｎｎｅｃｔｉｏｎＲｅｓｕｍｅＲｅｑｕｅｓｔに応答してＲＲＣＣｏｎｎｅｃｔｉｏｎＳｅｔｕｐが受信された場合：
３＞上位レイヤがＳ−ＴＭＳＩを提供した場合：
４＞ｓ−ＴＭＳＩを上位レイヤから受信した値に設定し；
２＞ｓｅｌｅｃｔｅｄＰＬＭＮ−Ｉｄｅｎｔｉｔｙを、ＳｙｓｔｅｍＩｎｆｏｒｍａｔｉｏｎＢｌｏｃｋＴｙｐｅ１（又は、ＮＢ−ＩｏＴにおけるＳｙｓｔｅｍＩｎｆｏｒｍａｔｉｏｎＢｌｏｃｋＴｙｐｅ１−ＮＢ）におけるｐｌｍｎ−ＩｄｅｎｔｉｔｙＬｉｓｔに含まれるＰＬＭＮから上位レイヤによって選択されたＰＬＭＮ（ＴＳ２３．１２２、ＴＳ２４．３０１参照）に設定し；
２＞上位レイヤが「Ｒｅｇｉｓｔｅｒｅｄ  ＭＭＥ」を提供する場合：以下のようにして、ｒｅｇｉｓｔｅｒｅｄＭＭＥを含めて設定する：
３＞「Ｒｅｇｉｓｔｅｒｅｄ  ＭＭＥ」のＰＬＭＮアイデンティティが上位レイヤによって選択されたＰＬＭＮと異なる場合：
４＞ｐｌｍｎＩｄｅｎｔｉｔｙをｒｅｇｉｓｔｅｒｅｄＭＭＥに含め、上位レイヤから受信した「Ｒｅｇｉｓｔｅｒｅｄ  ＭＭＥ」のＰＬＭＮアイデンティティの値に設定し；
３＞ｍｍｅｇｉ及びｍｍｅｃを、上位レイヤから受信した値に設定し；
２＞上位レイヤが「Ｒｅｇｉｓｔｅｒｅｄ  ＭＭＥ」を提供した場合：
３＞ｇｕｍｍｅｉ−Ｔｙｐｅを、含めると共に、上位レイヤによって提供された値に設定し；
２＞ＷＤがＣＩｏＴ  ＥＰＳ最適化をサポートする場合：
３＞上位レイヤから受信された場合に、ａｔｔａｃｈＷｉｔｈｏｕｔＰＤＮ−Ｃｏｎｎｅｃｔｉｖｉｔｙを含め；
３＞上位レイヤから受信された場合に、ｕｐ−ＣＩｏＴ−ＥＰＳ−Ｏｐｔｉｍｉｓａｔｉｏｎを含め；
３＞ＮＢ−ＩｏＴを除き、上位レイヤから受信された場合に、ｃｐ−ＣＩｏＴ−ＥＰＳ−Ｏｐｔｉｍｉｓａｔｉｏｎを含め；
２＞ＲＮとして接続している場合：
３＞ｒｎ−ＳｕｂｆｒａｍｅＣｏｎｆｉｇＲｅｑを含め；
２＞ｄｅｄｉｃａｔｅｄＩｎｆｏＮＡＳを、上位レイヤから受信した情報を含むように設定し；
２＞ＮＢ−ＩｏＴを除き：
３＞ＷＤがＶａｒＲＬＦ−Ｒｅｐｏｒｔにおいて利用可能な無線リンク障害又はハンドオーバ障害情報を有する場合、かつ、ＶａｒＲＬＦ−Ｒｅｐｏｒｔに格納されたｐｌｍｎ−ＩｄｅｎｔｉｔｙＬｉｓｔにＲＰＬＭＮが含まれる場合：
４＞ｒｌｆ−ＩｎｆｏＡｖａｉｌａｂｌｅを含め；
３＞ＷＤがＥ−ＵＴＲＡに利用可能なＭＢＳＦＮのログに記録された測定値を有する場合、かつ、ＶａｒＬｏｇＭｅａｓＲｅｐｏｒｔに格納されたｐｌｍｎ−ＩｄｅｎｔｉｔｙＬｉｓｔにＲＰＬＭＮが含まれる場合：
４＞ｌｏｇＭｅａｓＡｖａｉｌａｂｌｅＭＢＳＦＮを含め；
３＞それ以外に、ＷＤがＥ−ＵＴＲＡに利用可能なログに記録された測定値を有する場合、かつ、ＶａｒＬｏｇＭｅａｓＲｅｐｏｒｔに格納されたｐｌｍｎ−ＩｄｅｎｔｉｔｙＬｉｓｔにＲＰＬＭＮが含まれる場合：
４＞ｌｏｇＭｅａｓＡｖａｉｌａｂｌｅを含め；
３＞ＷＤがＶａｒＣｏｎｎＥｓｔＦａｉｌＲｅｐｏｒｔにおいて利用可能な接続確立障害情報を有する場合、かつ、ＶａｒＣｏｎｎＥｓｔＦａｉｌＲｅｐｏｒｔに格納されたｐｌｍｎ−ＩｄｅｎｔｉｔｙにＲＰＬＭＮが等しい場合：
４＞ｃｏｎｎＥｓｔＦａｉｌＩｎｆｏＡｖａｉｌａｂｌｅを含め；
３＞ｍｏｂｉｌｉｔｙＳｔａｔｅを含め、それを、ＲＲＣ＿ＣＯＮＮＥＣＴＥＤ状態に入る直前に、ＷＤの（ＴＳ３６．３０４に特定されるような）モビリティ状態に設定し；
３＞ＷＤがモビリティ履歴情報の記憶をサポートしており、ＷＤがＶａｒＭｏｂｉｌｉｔｙＨｉｓｔｏｒｙＲｅｐｏｒｔにおいて利用可能なモビリティ履歴情報を有する場合：
４＞ｍｏｂｉｌｉｔｙＨｉｓｔｏｒｙＡｖａｉｌを含め；
２＞ＤＣＮ−ＩＤ値（ＴＳ２３．４０１参照）が上位レイヤから受信された場合、ｄｃｎ−ＩＤを含め；
２＞ＷＤが連続する上りリンク送信の間のＵＬギャップを必要とする場合：
３＞ｕｅ−ＣＥ−ＮｅｅｄＵＬＧａｐｓを含め；
２＞ＲＲＣＣｏｎｎｅｃｔｉｏｎＳｅｔｕｐＣｏｍｐｌｅｔｅメッセージを、送信のために下位レイヤに付託して、それに応じて手順を終了する；
ことができる。
・ＷＤによるＲＲＣＣｏｎｎｅｃｔｉｏｎＲｅｓｕｍｅの受信
・ＷＤは、
１＞タイマＴ３００を停止し；
１＞Ｅ−ＵＴＲＡ  ＰＤＣＰで設定されていた場合に、Ｅ−ＵＴＲＡ  ＰＤＣＰで設定された全てのＤＲＢに対して、ＰＤＣＰ状態を復元して、ＳＲＢ２のためのＰＤＣＰエンティティを再確立し；
１＞ｄｒｂ−ＣｏｎｔｉｎｕｅＲＯＨＣが含まれる場合：
２＞下位レイヤに対して、記憶したＷＤのＡＳコンテキストが使用されること及びｄｒｂ−ＣｏｎｔｉｎｕｅＲＯＨＣが設定されていることを示し；
２＞ヘッダ圧縮プロトコルで構成されたＤＲＢに対するヘッダ圧縮プロトコルコンテキストを継続し；
１＞そうでない場合：
２＞下位レイヤに対して、記憶したＷＤのＡＳコンテキストが使用されることを示し；
２＞ヘッダ圧縮プロトコルで構成されたＤＲＢに対するヘッダ圧縮プロトコルコンテキストをリセットし；
１＞記憶したＷＤのＡＳコンテキストと、ｒｅｓｕｍｅＩｄｅｎｔｉｔｙとを破棄し；
１＞受信したｒａｄｉｏＲｅｓｏｕｒｃｅＣｏｎｆｉｇＤｅｄｉｃａｔｅｄに従って、そして、５．３．１０において特定されるように、無線リソースコンフィグ手順を実行し；
註：無線リソースコンフィグ手順を実行する際に、物理レイヤコンフィグ及びＭＡＣメインコンフィグに対して、記憶したＷＤのＡＳコンテキストからの記憶したＲＲＣコンフィグが、再コンフィグのための基礎として使用される。
１＞受信したＲＲＣＣｏｎｎｅｃｔｉｏｎＲｅｓｕｍｅメッセージがｓｋ−Ｃｏｕｎｔｅｒを含む場合：
２＞ＴＳ３８．３３１［５．３．５．８］において特定されるように、鍵更新手順を実行し；
１＞受信したＲＲＣＣｏｎｎｅｃｔｉｏｎＲｅｓｕｍｅメッセージがｎｒ−ＲａｄｉｏＢｅａｒｅｒＣｏｎｆｉｇ１を含む場合：
２＞ＴＳ３８．３３１［５．３．５．６］において特定されるように、無線ベアラコンフィグを実行し；
１＞受信したＲＲＣＣｏｎｎｅｃｔｉｏｎＲｅｓｕｍｅメッセージがｎｒ−ＲａｄｉｏＢｅａｒｅｒＣｏｎｆｉｇ２を含む場合：
２＞ＴＳ３８．３３１［５．３．５．６］において特定されるように、無線ベアラコンフィグを実行し；
１＞ＳＲＢ２と、もしあれば、ＮＲ  ＰＤＣＰで構成されたＲＢを含んだ全てのＤＲＢを再開し；
１＞記憶されている場合、ｉｄｌｅＭｏｄｅＭｏｂｉｌｉｔｙＣｏｎｔｒｏｌＩｎｆｏによって提供された又はたのＲＡＴから引き継がれたセル再選択優先度情報を破棄し；
１＞記憶されている場合、ｒｅｄｉｒｅｃｔｅｄＣａｒｒｉｅｒＯｆｆｓｅｔＤｅｄｉｃａｔｅｄによって提供される固有オフセットを破棄し；
１＞ＲＲＣＣｏｎｎｅｃｔｉｏｎＲｅｓｕｍｅメッセージがｍｅａｓＣｏｎｆｉｇを含む場合：
２＞５．５．２において特定されるように、測定コンフィグ手順を実行し；
１＞作動している場合、タイマＴ３０２を停止し；
１＞作動している場合、タイマＴ３０３を停止し；
１＞作動している場合、タイマＴ３０５を停止し；
１＞作動している場合、タイマＴ３０６を停止し；
１＞作動している場合、タイマＴ３０８を停止し；
１＞５．３．３．７において特定される動作を実行し；
１＞作動している場合、タイマＴ３２０を停止し；
１＞作動している場合、タイマＴ３５０を停止し；
１＞５．６．１２．４において特定される動作を実行し；
１＞作動している場合、タイマＴ３６０を停止し；
１＞作動している場合、タイマＴ３２２を停止し；
１＞現在のＫeNBが関連付けられているＫASME鍵に基づいて、ＴＳ３３．４０１において特定されるように、ＲＲＣＣｏｎｎｅｃｔｉｏｎＲｅｓｕｍｅメッセージにおいて示されるｎｅｘｔＨｏｐＣｈａｉｎｉｎｇＣｏｕｎｔ値を用いて、ＫeNBを更新し；
１＞ｎｅｘｔＨｏｐＣｈａｉｎｉｎｇＣｏｕｎｔ値を記憶し；
１＞ＴＳ３３．４０１において特定されるように、先にコンフィグされた完全性アルゴリズムと関連付けられるＫRRCint鍵を導出し；
１＞下位レイヤに、先にコンフィグされたアルゴリズム及びＫRRCint鍵を用いて、ＲＲＣＣｏｎｎｅｃｔｉｏｎＲｅｓｕｍｅメッセージの完全性保護を検証するように要求し；
１＞ＲＲＣＣｏｎｎｅｃｔｉｏｎＲｅｓｕｍｅメッセージの完全性保護チェックに失敗した場合：
２＞５．３．１２において特定されるように、リリース原因（release cause）を「ｏｔｈｅｒ」として、ＲＲＣ＿ＣＯＮＮＥＣＴＥＤを脱したことに応じた動作を実行して、それに応じて手順を終了し；
１＞ＴＳ３３．４０１において特定されるように、事前にコンフィグされた暗号化アルゴリズムに関連付けられるＫRRCenc鍵及びＫUPenc鍵を導出し；
１＞すぐに先にコンフィグされたアルゴリズム及びＫRRCint鍵を用いて完全性保護を再開するように下位レイヤをコンフィグし、すなわち、完全性保護は、ＷＤによって受信され送信される全ての後続のメッセージに適用されなければならず；
１＞暗号化を再開し、暗号化アルゴリズム、ＫRRCenc鍵及びＫUPenc鍵を適用するように下位レイヤをコンフィグし、すなわち、暗号化コンフィグが、ＷＤによって受信され送信される全ての後続のメッセージに適用されなければならず；
１＞ＲＲＣ＿ＣＯＮＮＥＣＴＥＤに入り；
１＞上位レイヤに対して、サスペンドされていたＲＲＣ接続が再開されたことを示し；
１＞セル再選択手順を停止し；
１＞現在のセルをＰＣｅｌｌと見なし；
１＞ＲＲＣＣｏｎｎｅｃｔｉｏｎＲｅｓｕｍｅＣｏｍｐｌｅｔｅメッセージの内容を以下のように設定し：
２＞ｓｅｌｅｃｔｅｄＰＬＭＮ−Ｉｄｅｎｔｉｔｙを、ＳｙｓｔｅｍＩｎｆｏｒｍａｔｉｏｎＢｌｏｃｋＴｙｐｅ１におけるｐｌｍｎ−ＩｄｅｎｔｉｔｙＬｉｓｔに含まれるＰＬＭＮから、上位レイヤによって選択された（ＴＳ２３．１２２、ＴＳ２４．３０１参照）ＰＬＭＮに設定し；
２＞ｄｅｄｉｃａｔｅｄＩｎｆｏＮＡＳを、上位レイヤから受信した情報を含むように設定し；
２＞ＮＢ−ＩｏＴを除き：
３＞ＷＤがＶａｒＲＬＦ−Ｒｅｐｏｒｔにおいて利用可能な無線リンク障害又はハンドオーバ障害情報を有する場合、かつ、ＲＰＬＭＮがＶａｒＲＬＦ−Ｒｅｐｏｒｔに格納されたｐｌｍｎ−ＩｄｅｎｔｉｔｙＬｉｓｔに含まれる場合：
４＞ｒｌｆ−ＩｎｆｏＡｖａｉｌａｂｌｅを含め；
３＞ＷＤがＥ−ＵＴＲＡに利用可能なＭＢＳＦＮのログに記録された測定値を有する場合、かつ、ＶａｒＬｏｇＭｅａｓＲｅｐｏｒｔに格納されたｐｌｍｎ−ＩｄｅｎｔｉｔｙＬｉｓｔにＲＰＬＭＮが含まれる場合：
４＞ｌｏｇＭｅａｓＡｖａｉｌａｂｌｅＭＢＳＦＮを含め；
３＞それ以外に、ＷＤがＥ−ＵＴＲＡに利用可能なログに記録された測定値を有する場合、かつ、ＶａｒＬｏｇＭｅａｓＲｅｐｏｒｔに格納されたｐｌｍｎ−ＩｄｅｎｔｉｔｙＬｉｓｔにＲＰＬＭＮが含まれる場合：
４＞ｌｏｇＭｅａｓＡｖａｉｌａｂｌｅを含め；
３＞ＷＤがＶａｒＣｏｎｎＥｓｔＦａｉｌＲｅｐｏｒｔにおいて利用可能な接続確立障害情報を有する場合、かつ、ＶａｒＣｏｎｎＥｓｔＦａｉｌＲｅｐｏｒｔに格納されたｐｌｍｎ−ＩｄｅｎｔｉｔｙにＲＰＬＭＮが等しい場合：
４＞ｃｏｎｎＥｓｔＦａｉｌＩｎｆｏＡｖａｉｌａｂｌｅを含め；
３＞ｍｏｂｉｌｉｔｙＳｔａｔｅを含め、それを、ＲＲＣ＿ＣＯＮＮＥＣＴＥＤ状態に入る直前に、ＷＤの（ＴＳ３６．３０４に特定されるような）モビリティ状態に設定し；
３＞ＷＤがモビリティ履歴情報の記憶をサポートしており、ＷＤがＶａｒＭｏｂｉｌｉｔｙＨｉｓｔｏｒｙＲｅｐｏｒｔにおいて利用可能なモビリティ履歴情報を有する場合：
４＞ｍｏｂｉｌｉｔｙＨｉｓｔｏｒｙＡｖａｉｌを含め；
１＞ＲＲＣＣｏｎｎｅｃｔｉｏｎＲｅｓｕｍｅＣｏｍｐｌｅｔｅメッセージを、送信のために下位レイヤに付託し；
１＞本手順を終了する、
ことができる。
【００１３】
ここで、以下の表１は、現在の仕様において定義されたテーブルの例である。
【００１４】
表１
７．３．１節  タイマ（参考情報）
2021525462.tif 000003
【００１５】
ＮＲにおけるリジェクト手順の考察
ＮＲのために、リジェクト手順も議論されている。ＲＡＮ２＃９９ｂｉｓでは、以下が検討された：
・ＲＲＣ接続を再開しようとするＩＮＡＣＴＩＶＥにおけるＷＤは、ＷＤをＩＮＡＣＴＩＶＥに戻すために（すなわちウェイトタイマを付してリジェクトされる）、（完全性保護を伴わない）ＳＲＢ０を介して送信されたＭＳＧ４を受信することができる。
・ＩＮＡＣＴＩＶＥ関連のパラメータ／コンフィグは、（それが保護されていないメッセージであるため）ＳＲＢ０を介して送信されたＭＳＧ４によって更新されるべきではない。
【００１６】
図４に、ＲＲＣ＿ＩＮＡＣＴＩＶＥからＲＲＣ＿ＩＮＡＣＴＩＶＥへの遷移の例を図解している。
【００１７】
ＲＲＣ  ＮＲ使用に対するリジェクト手順の現在の実装
リジェクト手順は、現在検討されている。まず、ＬＴＥでのように、タイマＴ３０２は、以下のＴＳ３８．３３１の抜粋が示すように、ＲＲＣＲｅｓｕｍｅＲｅｑｕｅｓｔ又はＲＲＣＳｅｔｕｐＲｅｑｕｅｓｔのいずれかへの応答でありうるＲＲＣＲｅｊｅｃｔメッセージの受信に応じて開始されうる：ＷＤによるＲＲＣＲｅｊｅｃｔの受信−ＷＤは、
１＞タイマＴ３００を停止し；
１＞ＭＡＣをリセットし、ＭＡＣコンフィグをリリースし；
１＞ｗａｉｔＴｉｍｅに設定されたタイマ値を有するタイマＴ３０２を開始し；
１＞上位レイヤに、ＲＲＣ接続の確立失敗とアクセス制御関連情報を通知し、それに応じて手順を終了する。
【００１８】
アクセス制御関連情報は、上位レイヤに通知されうる。
【発明の概要】
【００１９】
いくつかの実施形態は、有利に、リジェクト待ち時間、又は、ウェイトタイマに関連付けられた完全性エラーに対処するための方法及び装置を提供し、それらは、例えば、ネットワークの非効率な点を有利に回避又は削減しうる。
【００２０】
本開示の一態様によれば、無線デバイス（ＷＤ）における方法が提供される。本方法は、ネットワークノードから、リリースメッセージとサスペンドメッセージとのいずれかを受信することと、前記リリースメッセージ及び前記サスペンドメッセージの前記いずれかを受信したことの結果としてウェイトタイマを更新することとを含む。
【００２１】
本態様のいくつかの実施形態では、前記ウェイトタイマは、Ｔ３０２タイマである。本態様のいくつかの実施形態では、前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの受信に応答して前記ウェイトタイマを停止することを含む。本態様のいくつかの実施形態では、前記リリースメッセージ及び前記サスペンドメッセージの前記いずれかを受信したことの結果として前記ウェイトタイマを更新することは、さらに、前記リリースメッセージ及び前記サスペンドメッセージの前記いずれかにおいて特定されたウェイト値に従って前記ウェイトタイマを更新することを含む。本態様のいくつかの実施形態では、前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの中の、前記ウェイトタイマが作動している場合には停止すべきであることを示すインジケータを特定したことに応答して、前記ウェイトタイマを停止することを含む。本態様のいくつかの実施形態では、前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの中に、前記ウェイトタイマがすでに作動している場合には継続して作動すべきことを示すインジケータがないことを特定したことに応答して、前記ウェイトタイマを停止することを含む。本態様のいくつかの実施形態では、前記リリースメッセージ及び前記サスペンドメッセージの前記いずれかを受信したことの結果として前記ウェイトタイマを更新することは、さらに、前記リリースメッセージ及び前記サスペンドメッセージの前記いずれかの受信に応答して、前記ウェイトタイマをリスタートすることを含む。本態様のいくつかの実施形態では、前記リリースメッセージ及び前記サスペンドメッセージの前記いずれかは、無線リソース制御（ＲＲＣ）リリースメッセージとＲＲＣサスペンドメッセージとのいずれかである。本態様のいくつかの実施形態では、前記ネットワークノードへレジューム要求メッセージを伝達することをさらに含み、前記リリースメッセージ及び前記サスペンドメッセージの前記いずれかは当該レジューム要求メッセージの伝達の結果として受信される。
【００２２】
本開示の別の態様によれば、無線デバイス（ＷＤ）における方法は、ウェイトタイマが作動中に、下位レイヤにおいて完全性保護検証エラーを検出することと、前記完全性保護検証エラーの前記検出の結果として、前記ウェイトタイマを更新することとを含む。
【００２３】
本態様のいくつかの実施形態では、前記ウェイトタイマはＴ３０２タイマである。本態様のいくつかの実施形態では、前記完全性保護検証エラーの前記検出の結果として前記ウェイトタイマを更新することは、前記完全性保護検証エラーの前記検出に応答して前記ウェイトタイマを停止することをさらに含む。本態様のいくつかの実施形態では、前記完全性保護検証エラーの前記検出の結果として前記ウェイトタイマを更新することは、前記完全性保護検証エラーの前記検出に応答して前記ウェイトタイマを再開することをさらに含む。本態様のいくつかの実施形態では、前記ウェイトタイマが作動中に前記下位レイヤにおいて前記完全性保護検証エラーを検出することは、Ｔ３００Ｘタイマが満了したことを検出することと、前記Ｔ３００Ｘタイマが作動中に完全性チェック障害を検出したこととの少なくともいずれかを含む。
【００２４】
本開示のまた別の態様において、無線デバイス（ＷＤ）と通信するように構成されたネットワークノードにおける方法が提供される。本方法は、前記ＷＤから、レジューム要求メッセージを受信することと、前記レジューム要求メッセージを受信したことの結果として、前記ＷＤのウェイトタイマをコンフィグするリリースメッセージとサスペンドメッセージとのいずれかを前記ＷＤに伝達することを決定することとを含む。
【００２５】
本態様のいくつかの実施形態では、前記リリースメッセージ及び前記サスペンドメッセージの前記いずれかは、無線リソース制御（ＲＲＣ）リリースメッセージとＲＲＣサスペンドメッセージとのいずれかである。本態様のいくつかの実施形態では、前記ウェイトタイマはＴ３０２タイマである。本態様のいくつかの実施形態では、前記ＷＤの前記ウェイトタイマをコンフィグするために前記リリースメッセージ及び前記サスペンドメッセージの前記いずれかを決定することは、前記リリースメッセージ及び前記サスペンドメッセージの前記いずれかの受信に応答して停止するように前記ＷＤの前記ウェイトタイマをコンフィグすることをさらに含む。本態様のいくつかの実施形態では、前記ＷＤの前記ウェイトタイマをコンフィグするために前記リリースメッセージ及び前記サスペンドメッセージの前記いずれかを決定することは、前記リリースメッセージ及び前記サスペンドメッセージの前記いずれかに含められたウェイト値に従って、前記ウェイトタイマを更新するように、前記ＷＤの前記ウェイトタイマをコンフィグすることをさらに含む。本態様のいくつかの実施形態では、前記ＷＤの前記ウェイトタイマをコンフィグするために前記リリースメッセージ及び前記サスペンドメッセージの前記いずれかを決定することは、前記リリースメッセージ及び前記サスペンドメッセージの前記いずれかの中で、前記ウェイトタイマが作動中である場合に停止すべきであることを示すインジケータを特定したことに応答して停止するように、前記ＷＤの前記ウェイトタイマをコンフィグすることをさらに含む。本態様のいくつかの実施形態では、前記ＷＤの前記ウェイトタイマをコンフィグするために前記リリースメッセージ及び前記サスペンドメッセージの前記いずれかを決定することは、前記リリースメッセージ及び前記サスペンドメッセージの前記いずれかの中で、前記ウェイトタイマが既に作動中である場合にその作動を継続すべきことを示すインジケータがないことを特定したことに応答して停止するように、前記ＷＤの前記ウェイトタイマをコンフィグすることをあらに含む。本態様のいくつかの実施形態では、前記ＷＤの前記ウェイトタイマをコンフィグするために前記リリースメッセージ及び前記サスペンドメッセージの前記いずれかを決定することは、前記リリースメッセージ及び前記サスペンドメッセージの前記いずれかの受信に応答して、前記ウェイトタイマを再開するように、前記ＷＤの前記ウェイトタイマをコンフィグすることをさらに含む。本態様のいくつかの実施形態では、本方法は、前記レジューム要求メッセージを受信したことの結果として、前記リリースメッセージ及び前記サスペンドメッセージの前記いずれかを前記ＷＤへ伝達することをさらに含む。
【００２６】
本開示のさらに別の態様によれば、ネットワークノードと通信するように構成された無線デバイス（ＷＤ）が提供される。ＷＤは、処理回路を有し、当該処理回路は、リリースメッセージ及びサスペンドメッセージのいずれかを前記ネットワークノードから受信し、前記リリースメッセージ及び前記サスペンドメッセージの前記いずれかを受信した結果としてウェイトタイマを更新する、ように構成される。
【００２７】
本態様のいくつかの実施形態では、前記ウェイトタイマはＴ３０２タイマである。本態様のいくつかの実施形態では、前記処理回路は、前記リリースメッセージ及び前記サスペンドメッセージの前記いずれかの受信に応答して前記ウェイトタイマを停止するように構成されることにより、前記リリースメッセージ及び前記サスペンドメッセージの前記いずれかを受信した結果として前記ウェイトタイマを更新するようにさらに構成される。本態様のいくつかの実施形態では、前記処理回路は、前記リリースメッセージ及び前記サスペンドメッセージの前記いずれかにおいて特定されたウェイト値に従って前記ウェイトタイマを更新するように構成されることにより、前記リリースメッセージ及び前記サスペンドメッセージの前記いずれかを受信した結果として前記ウェイトタイマを更新するようにさらに構成される。本態様のいくつかの実施形態では、前記処理回路は、前記リリースメッセージ及び前記サスペンドメッセージの前記いずれかの中で、前記ウェイトタイマが作動中である場合には停止すべきであることを示すインジケータを特定したことに応答して、前記ウェイトタイマを停止するように構成されることにより、前記リリースメッセージ及び前記サスペンドメッセージの前記いずれかを受信した結果として前記ウェイトタイマを更新するようにさらに構成される。本態様のいくつかの実施形態では、前記処理回路は、前記リリースメッセージ及び前記サスペンドメッセージの前記いずれかの中で、前記ウェイトタイマがすでに作動中である場合にその作動を継続すべきであることを示すインジケータがないことを特定したことに応答して、前記ウェイトタイマを停止するように構成されることにより、前記リリースメッセージ及び前記サスペンドメッセージの前記いずれかを受信した結果として前記ウェイトタイマを更新するようにさらに構成される。本態様のいくつかの実施形態では、前記処理回路は、前記リリースメッセージ及び前記サスペンドメッセージの前記いずれかの受信に応答して前記ウェイトタイマを再開するように構成されることにより、前記リリースメッセージ及び前記サスペンドメッセージの前記いずれかを受信した結果として前記ウェイトタイマを更新するようにさらに構成される。本態様のいくつかの実施形態では、前記リリースメッセージ及び前記サスペンドメッセージの前記いずれかは、無線リソース制御（ＲＲＣ）リリースメッセージ及びＲＲＣサスペンドメッセージのいずれかである。本態様のいくつかの実施形態では、前記処理回路は、レジューム要求メッセージを前記ネットワークノードへ伝達するようにさらに構成され、前記レジューム要求メッセージを伝送したことの結果として、前記リリースメッセージ及び前記サスペンドメッセージの前記いずれかが受信される。
【００２８】
本開示の他の態様によれば、ネットワークノードと通信するように構成された無線デバイス（ＷＤ）が提供される。当該ＷＤは処理回路を有し、当該処理回路は、ウェイトタイマが作動中に下位レイヤにおいて完全性保護検証エラーを検出し、前記完全性保護検証エラーの前記検出の結果として、前記ウェイトタイマを更新する、ように構成される。
【００２９】
本態様のいくつかの実施形態では、前記ウェイトタイマはＴ３０２タイマである。本態様のいくつかの実施形態では、前記処理回路は、完全性保護検証エラーの前記検出に応答して前記ウェイトタイマを停止するように構成されることにより、前記完全性保護検証エラーの前記検出の結果として、前記ウェイトタイマを更新するようにさらに構成される。本態様のいくつかの実施形態では、前記処理回路は、前記完全性保護検証エラーの前記検出に応答して前記ウェイトタイマを再開するように構成されることにより、前記完全性保護検証エラーの前記検出の結果として、前記ウェイトタイマを更新するようにさらに構成される。本態様のいくつかの実施形態では、前記処理回路は、Ｔ３００Ｘタイマが満了したことを検出するか前記Ｔ３００Ｘタイマが作動中に完全性チェック障害を検出するかの少なくともいずれかを行うように構成されることによって、前記ウェイトタイマが作動中に前記下位レイヤにおいて前記完全性保護検証エラーを検出するようにさらに構成される。
【００３０】
本開示のまた別の態様によれば、無線デバイス（ＷＤ）と通信するように構成されたネットワークノードが提供される。ネットワークノードは、処理回路を有し、当該処理回路は、前記ＷＤから、レジューム要求メッセージを受信し、前記ＷＤのウェイトタイマをコンフィグするリリースメッセージ及びサスペンドメッセージのいずれかを前記ＷＤへ伝達することを決定する、ように構成される。
【００３１】
本態様のいくつかの実施形態では、前記リリースメッセージ及び前記サスペンドメッセージの前記いずれかは、無線リソース制御（ＲＲＣ）リリースメッセージ及びＲＲＣサスペンドメッセージのいずれかである。本態様のいくつかの実施形態では、前記ウェイトタイマはＴ３０２タイマである。本態様のいくつかの実施形態では、前記処理回路は、前記リリースメッセージ及び前記サスペンドメッセージの前記いずれかの受信に応答して停止するように前記ＷＤの前記ウェイトタイマをコンフィグすることにより、前記ＷＤの前記ウェイトタイマをコンフィグするために前記リリースメッセージ及び前記サスペンドメッセージの前記いずれかを決定するようにさらに構成される。本態様のいくつかの実施形態では、前記処理回路は、前記リリースメッセージ及び前記サスペンドメッセージの前記いずれかに含められるウェイト値に従って前記ウェイトタイマを更新するように前記ＷＤの前記ウェイトタイマをコンフィグするように構成されることにより、前記ＷＤの前記ウェイトタイマをコンフィグするために前記リリースメッセージ及び前記サスペンドメッセージの前記いずれかを決定するようにさらに構成される。本態様のいくつかの実施形態では、前記処理回路は、前記リリースメッセージ及び前記サスペンドメッセージの前記いずれかの中の、前記ウェイトタイマが作動している場合には停止されるべきであることを示すインジケータを特定したことに応答して停止するように前記ＷＤの前記ウェイトタイマをコンフィグするように構成されることにより、前記ＷＤの前記ウェイトタイマをコンフィグするために前記リリースメッセージ及び前記サスペンドメッセージの前記いずれかを決定するようにさらに構成される。本態様のいくつかの実施形態では、前記処理回路は、前記リリースメッセージ及び前記サスペンドメッセージの前記いずれかの中に前記ウェイトタイマが既に作動している場合にその作動を継続すべきことを示すインジケータがないことを特定したことに応答して停止するように、前記ＷＤの前記ウェイトタイマをコンフィグすることにより、前記ＷＤの前記ウェイトタイマをコンフィグするために前記リリースメッセージ及び前記サスペンドメッセージの前記いずれかを決定するようにさらに構成される。本態様のいくつかの実施形態では、前記処理回路は、前記リリースメッセージ及び前記サスペンドメッセージの前記いずれかの受信に応答して前記ウェイトタイマを再開するように前記ＷＤの前記ウェイトタイマをコンフィグすることにより、前記ＷＤの前記ウェイトタイマをコンフィグするために前記リリースメッセージ及び前記サスペンドメッセージの前記いずれかを決定するようにさらに構成される。本態様のいくつかの実施形態では、前記処理回路は、前記レジューム要求メッセージを受信した結果として、前記リリースメッセージ及び前記サスペンドメッセージの前記いずれかを前記ＷＤへ伝達するようにさらに構成される。
【図面の簡単な説明】
【００３２】
本実施形態およびその付随する利点及びその特徴のより徹底的な理解が、添付の図面と併せて考慮されるときに以下の詳細な説明を参照することにより、より簡単に理解されるだろう。
【図１】図１は、ＮＲにおける例示のＷＤステートマシン及び状態遷移を示す図である。
【図２】図２は、ネットワークリジェクト又はリリースを引き起こすＲＲＣ接続レジュームを示す図である。
【図３】図３は、ネットワークリジェクトをもたらすＲＲＣ接続確立要求を示す図である。
【図４】図４は、リジェクトシナリオにおけるＲＲＣ＿ＩＮＡＣＴＩＶＥからＲＲＣ＿ＩＮＡＣＴＩＶＥへの遷移を示す図である。
【図５】図５は、ＲＲＣサスペンド又はＲＲＣリリースメッセージをもたらすＲＲＣ接続レジューム要求を示す図である。
【図６】図６は、本開示における原理に従って、中間ネットワークを介してホストコンピュータへ接続される通信システムを示す、例示のネットワークアーキテクチャの概略図である。
【図７】図７は、本開示のいくつかの実施形態による少なくとも部分的な無線接続を経て、ホストコンピュータがネットワークノードを介して無線デバイスと通信するブロック図である。
【図８】図８は、本開示のいくつかの実施形態による、リジェクトウェイトタイムを処理する、ネットワークノードにおける例示の処理のフローチャートである。
【図９】図９は、本開示のいくつかの実施形態による、リジェクトウェイトタイムを処理する、無線デバイスにおける例示の処理のフローチャートである。
【図１０】図１０は、本開示のいくつかの実施形態による、ウェイトタイマを更新するための無線デバイスにおけるさらなる別の例示の処理のフローチャートである。
【発明を実施するための形態】
【００３３】
ＮＲでは、ＷＤがＲＲＣ＿ＣＯＮＮＥＣＴＥＤに入った際に、すなわち、ＲＲＣＳｅｔｕｐ又は／及びＲＲＣＲｅｓｕｍｅメッセージを受信したことに応じて、タイマＴ３０２が停止されうる。
【００３４】
いくつかの以下の態様が、ＬＴＥのＲＲＣと異なるＮＲのＲＲＣのために検討されている：
−ＮＲのＲＲＣでは、ネットワークは、ＲＲＣ＿ＩＮＡＣＴＩＶＥ状態に戻るようにＷＤに直ちに命令するサスペンドメッセージで、ＷＤからのＲｅｓｕｍｅＲｅｑｕｅｓｔに応答しうる。（例えば図３（ＬＴＥ）を図５（ＮＲ）と比較して示されるように）ＬＴＥでは、接続の再開を試行するＷＤに対して直接サスペンドメッセージ（サスペンド表示を伴うＲｅｌｅａｓｅ）を送信することはできない。
−ＮＲのＲＲＣでは、ネットワークは、ＷＤにＲＲＣ＿ＩＤＬＥへ戻るようにＷＤに直ちに命令するリリースメッセージで、ＷＤからのＲｅｓｕｍｅＲｅｑｕｅｓｔに応答しうる。また、このメッセージは、暗号化されうる。（例えば図３（ＬＴＥ）を図５（ＮＲ）と比較して示されるように）ＬＴＥでは、接続の再開を試行するＷＤに直接リリースメッセージ（Ｒｅｌｅａｓｅ）を送信することはできない。
【００３５】
上述のシナリオは、例えば、周期的ＲＮＡ（無線アクセスネットワーク通知エリア）タイマの満了によってトリガされうるＲＡＮエリアアップデートの間に有用でありうる。これは、例えば、Ｒｅｌ−１６において、少量の／早期のデータ送信の間に、他のシナリオにおいても可能性がありうる。ＮＲにおいて、禁止の処理に応じて、ＷＤが、ウェイトタイマＴ３０２を作動中にＲＲＣ  Ｒｅｓｕｍｅ手順を開始しうることが考えられうる。
【００３６】
したがって、上の差異、すなわち、ＮＲにおける新しい取り得る応答（サスペンド又はリリース）によって、既存の手順に従うタイマＴ３０２は作動したままとなる。そして、ネットワークがすでにリリースメッセージ（又はサスペンド）を提供していたとしても、ＷＤは、必要でないならば、Ｔ３０２の満了に応じた動作を実行しうる。
【００３７】
その結果、ＷＤがあたかもネットワークが過負荷であるかのようにＴ３０２を作動させ続けうるが、ネットワークはもはや過負荷でないかもしれないこととなる。したがって、リリース又はサスペンドメッセージの受信後にＷＤが送信すべきいくつかの上りリンク（ＵＬ）データを有する場合、ＷＤは、ネットワークがもはや過負荷でないにもかかわらずＴ３０２が作動しているため、それを行うことができないかもしれない。この場合、ＷＤは、ネットワークにアクセスすることができないことがありうる。
【００３８】
別のシナリオは、ＷＤが、Ｔ３０２の作動中にページングされることでありうる。この場合、ＷＤは、呼び出し応答手順が高い優先度を有し、かつ、Ｔ３０２が作動中に実行されうることを仮定すれば、その呼び出しに応答しうる。この時点でネットワークがＷＤをサスペンド又は場合によってはリリースすると決定した場合、ネットワークの視点からは望ましいことではないかもしれないが、Ｔ３０２は作動し続ける。
【００３９】
したがって、本開示のいくつかの実施形態は、ＲＲＣインアクティブ手順の間に、ウェイトタイマを停止する及び／又はウェイトタイマの値を更新するためのＷＤにおける新しい仕組み又はトリガを導入する。このような方法で、ＷＤは、ウェイトタイマがタイムアウトした場合に不必要に手順を実行する必要がなくなりうる。本仕組みは、例えばリリース又はサスペンドメッセージの受信に基づき、黙示的であってもよく、または、ネットワークは、期待されるＷＤの振る舞い、例えばタイマのリセット、タイマの停止、タイマの作動の継続、又はタイマの異なる値への設定などを、明示的にシグナリングしうる。
【００４０】
本開示の実施形態のいくつかの利点は、タイマを停止（一時停止、リセット、変更、継続、又は他の更新など）する新しい仕組み／トリガを使用することにより、タイマがタイムアウトした際に、ネットワークにおいてより多くのシグナリングを生成し、より多くのＷＤのバッテリを消費し、および、不必要な干渉を生成しうる手順を実行することを回避することが可能となり得ることを含みうる。実施形態のいくつかにおいて、過負荷状態に従ってウェイトタイマの値を更新するために、ネットワークへより多くの柔軟性を与えうる。これにより、他の重要でない通信に対する緊急の又は重要な通信を優先することが可能となりえ、これは、社会、緊急要員などに対して重要な利益を有しうる。例示の実施形態を詳細に説明する前に、実施形態が、主として、リジェクトウェイトタイムを処理することに関連する装置構成及び処理ステップの組み合わせに存在することに留意すべきでる。したがって、コンポーネントは、ここでの説明の利益を有する当業者にはすぐに分かる詳細を用いて開示を曖昧にしないように、必要に応じて、図面において従来のシンボルにより表現されており、本実施形態の理解に関するそれらの特定の詳細のみを示している。本説明を通じて、同様の番号は同様の要素を参照する。
【００４１】
ここで使用するように、「第１の」及び「第２の」、「トップ」及び「ボトム」などのような相関的な用語は、１つのエンティティ又はエレメントを他のエンティティ又はエレメントと、このようなエンティティ又はエレメント感の任意の物理的又は論理的な関係又は順序を必ずしも必要とせず又は黙示せずに、区別するためにのみ使用されうる。ここで使用する専門用語は、特定の実施形態を説明する目的のためのみのものであり、ここで説明するコンセプトの限定を意図したものではない。ここで使用されるように、単数形「a」、「an」及び「the」は、文脈が別途明確に示さない限りは複数形をも含むことが意図されている。ここで使用される際の用語「comprises」、「comprising」、「includes」及び／又は「including」は、言及された特徴、整数、ステップ、動作、エレメント、及び／又はコンポーネントを特定するが、１つ以上の他の特徴、整数、ステップ、動作、エレメント、コンポーネント、及び／又はそれらのグループの存在又は追加を排除しないことがさらに理解されるだろう。
【００４２】
ここで説明する実施形態では、結合用語「〜と通信して（in communication with）」などが、例えば物理的接触、誘導、電磁放射、無線信号送信、赤外線信号送信、又は光学信号送信によって完遂されうる電気又はデータ通信を示すのに使用されうる。当業者であれば、複数のコンポーネントが相互運用され、変更や変形が、電気およびデータ通信を達成するのが可能であることを理解しているだろう。
【００４３】
ここで説明するいくつかの実施形態では、用語「結合」「接続」などが、接続を示すためにここで使用されうるが、必ずしも直接的でなくてもよく、有線及び／又は無線接続を含みうる。
【００４４】
ここで使用される用語「ネットワークノード」は、無線ネットワークに含まれる任意の種類のネットワークノードでありえ、無線ネットワークはさらに、基地局（ＢＳ）、無線基地局、基地送受信局（ＢＴＳ）、基地局制御装置（ＢＳＣ）、無線ネットワーク制御装置（ＲＮＣ）、ｇＮｏｄｅＢ（ｇＮＢ）、エボルブドＮｏｄｅＢ（ｅＮＢ又はｅＮｏｄｅＢ）、ＮｏｄｅＢ、マルチスタンダード無線（ＭＳＲ）  ＢＳなどのＭＳＲ無線ノード、マルチセル／マルチキャスト協調エンティティ（ＭＣＥ）、リレーノード、リレーを制御するドナーノード、統合アクセス及びバックホール（ＩＡＢ）ノード、無線アクセスポンと（ＡＰ）、送信点、送信ノード、遠隔無線ユニット（ＲＲＵ）遠隔無線ヘッド（ＲＲＨ）、コアネットワークノード（例えば移動管理エンティティ（ＭＭＥ）、自己組織化ネットワーク（ＳＯＮ）ノード、協調ノード、測位ノード、ＭＤＴノードなど）、外部ノード（例えば、サードパーティノード、現在のネットワークの外部のノード）、分散アンテナシステム（ＤＡＳ）におけるノード、スペクトルアクセスシステム（ＳＡＳ）ノード、エレメント管理システム（ＥＭＳ）などのいずれかを含みうる。ここで使用される用語「無線ノード」は、無線デバイス（ＷＤ）又は無線ネットワークノードなどの無線デバイス（ＷＤ）を表すのにも使用されうる。
【００４５】
いくつかの実施形態では、非制限的な用語、無線デバイス（ＷＤ）又はユーザ端末（ＵＥ）が、交換可能に使用される。ここでのＷＤは、無線デバイス（ＷＤ）などのネットワークノードや他のＷＤと無線信号を介して通信することができる任意の種類の無線デバイスでありうる。また、ＷＤは、無線通信デバイス、ターゲットデバイス、デバイス対デバイス（Ｄ２Ｄ）ＷＤ、マシンタイプＷＤ又はマシン対マシンタイプ通信（Ｍ２Ｍ）が可能なＷＤ、低価格及び／又は低複雑度ＷＤ、ＷＤが備えられたセンサ、タブレット、モバイルターミナル、スマートフォン、ラップトップ内蔵装置（ＬＥＥ）、ラップトップ搭載装置（ＬＭＥ）、ＵＳＢドングル、顧客構内設備（ＣＰＥ）、インターネットオブシングズ（ＩｏＴ）デバイス、又は狭帯域ＩｏＴ（ＮＢ−ＩｏＴ）デバイスなどでありうる。
【００４６】
また、いくつかの実施形態では、総称の用語「無線ネットワークノード」が用いられている。これは、基地局、無線基地局、基地送受信局、基地局制御装置、ネットワーク制御装置、ＲＮＣ、エボルブドＮｏｄｅＢ（ｅＮＢ）、ＮｏｄｅＢ、ｇＮＢ、マルチセル／マルチキャスト協調エンティティ（ＭＣＥ）、リレーノード、ＩＡＢノード、アクセスポイント、無線アクセスポイント、遠隔無線ユニット（ＲＲＵ）遠隔無線ヘッド（ＲＲＨ）のいずれかを含みうる、任意の種類の無線ネットワークノードでありうる。
【００４７】
なお、例えば３ＧＰＰのＬＴＥ及び／又はＮｅｗ  Ｒａｄｉｏ（ＮＲ）のような１つの特定の無線システムからの専門用語が本開示において使用されうるが、これは、本開示の範囲を上述のシステムに制限するように見なされるべきではない。制限なく、広帯域符号分割多元接続（ＷＣＤＭＡ（登録商標））、全世界相互運用マイクロ波アクセス（ＷｉＭＡＸ）、ウルトラワイドバンド（ＵＷＢ）、移動体通信用グローバルシステム（ＧＳＭ）を含んだ他の無線システムが、本開示の範囲内でカバーされるアイデアを採用することによって恩恵を受けうる。
【００４８】
さらに、ここで無線デバイス又はネットワークノードによって実行されると説明される機能は、複数の無線デバイス及び／又はネットワークノードに分散されてもよい。換言すれば、ここで説明するネットワークノード及び無線デバイスの機能は、単一の物理デバイスによる実行に限定されず、実際のところ、多数の物理デバイス間で分散されてもよい。
【００４９】
別途定義しない限り、ここで使用する（技術用語及び科学用語を含んだ）全ての用語が、本開示の属する分野における当業者によって共通して理解されるのと同じ意味を有する。ここで使用する用語が、本開示及び関連する技術の文脈におけるそれらの意味調和した意味を有し、明示的にここでそのように定義されない限りは、理想的な又は過剰に形式的な意味で解釈されないことがさらに理解されるだろう。
【００５０】
いくつかの実施形態では、方法が、ＮＲにおけるＲＲＣ＿ＩＮＡＣＴＩＶＥのＷＤによって実行される動作として説明される。いくつかの実施形態はその場合に適用可能であるが、以下のような、実施形態が適用可能な他の追加の場合がありうる：
・手順がＮＲの代わりにＬＴＥにおいて生じる全ての前のケース、ＬＴＥのＲＲＣ＿ＩＮＡＣＴＩＶＥのＷＤの場合。
・主として同じＣＮ（５Ｇコアネットワーク）に接続されているＬＴＥとＮＲとの間での、ＲＲＣ＿ＩＮＡＣＴＩＶＥ状態における無線アクセス技術（ＲＡＴ）間手順：
・ＬＴＥのＲＲＣ＿ＣＯＮＮＥＣＴＥＤ状態におけるＷＤがＬＴＥのＲＲＣ＿ＩＮＡＣＴＩＶＥ状態へとサスペンドされてＴ３８０を開始し、モビリティを実行してＮＲセルに在圏し（すなわち、ＮＲのＲＲＣ＿ＩＮＡＣＴＩＶＥ状態になる）、Ｔ３８０が作動中にＮＲにおいてレジュームを試みる。
・ＮＲのＲＲＣ＿ＣＯＮＮＥＣＴＥＤ状態におけるＷＤが、ＮＲのＲＲＣ＿ＩＮＡＣＴＩＶＥ状態へサスペンドされてＴ３８０を開始し、モビリティを実行してＬＴＥのセルに在圏し（すなわち、ＬＴＥのＲＲＣ＿ＩＮＡＣＴＩＶＥ状態に遷移し）、Ｔ３８０が作動中にＬＴＥにおいてレジュームを試みる。
【００５１】
実施形態は、ＲＲＣ接続のレジュームを実行する際のＷＤ２２におけるウェイトタイマの管理のための装置および方法を提供する。いくつかの実施形態では、ウェイトタイマを停止する（一時停止する、再開する、リセットする、変更する、又はその他の更新をするなど）のための新しい仕組み／トリガを用いて、ネットワークにおいてより多くのシグナリングを生成し、ＷＤ２２のバッテリをより多く消費し、および、不必要な干渉を生成しうる、タイマがタイムアウトした際の手順を実行することを防ぐことが可能となりうる。実施形態のいくつかにおいて、ネットワークへのより多くの柔軟性が、例えば過負荷条件に従って、ＷＤ２２のウェイトタイマの値を更新するために提供されうる。これによれば、社会や緊急応答者に対する重要な利益を有しうる、他の重要でない通信に対して、緊急通信又は重要な通信を優先することが可能となりうる。
【００５２】
参照番号によってエレメントが参照される図面に戻り、図６に、実施形態による、無線アクセスネットワークなどのアクセスネットワーク１２とコアネットワーク１４とを含んだ、ＬＴＥ及び／又はＮＲ（５Ｇ）などの標準をサポートしうる３ＧＰＰタイプのセルラネットワークのような、通信システム１０の概略図を示す。アクセスネットワーク１２は、それぞれが対応するカバレッジエリア１８ａ、１８ｂ、１８ｃを定める、ＮＢ、ｅＮＢ、ｇＮＢ、又は他のタイプの無線アクセスポイントなどの、複数のネットワークノード１６ａ、１６ｂ、１６ｃ（まとめて、ネットワークノード１６と呼ぶ）を有する。各ネットワークノード１６ａ、１６ｂ、１６ｃは、有線又は無線接続２０を介してコアネットワーク１４に接続可能である。カバレッジエリア１８ａに位置する第１の無線デバイス（ＷＤ）２２ａは、対応するネットワークノード１６ｃに無線で接続され、ネットワークノード１６ｃによって呼び出されるように構成される。カバレッジエリア１８ｂ内の第２のＷＤ２２ｂはネットワークノード１６ａに無線接続可能である。この例では、複数のＷＤ２２ａ、２２ｂ（まとめて無線デバイス２２と呼ぶ）が示されているが、単一のＷＤがカバレッジエリア内にいる状況又は単一のＷＤが対応するネットワークノード１６に接続している状況に等しく適用可能である。なお、便宜上、２つのＷＤ２２および３つのネットワークノード１６のみを示しているが、通信システムはより多くのＷＤ２２及びネットワークノード１６を含みうる。
【００５３】
また、ＷＤ２２は、１つより多くのネットワークノード１６及び１つより多くのタイプのネットワークノード１６と、同時通信し及び／又は別個に通信するように構成されうる。例えば、ＷＤ２２は、ＬＴＥをサポートしているネットワークノード１６及びＮＲをサポートしている異なるネットワークノード１６とのデュアルコネクティビティを有しうる。例として、ＷＤ２２は、ＬＴＥ／Ｅ−ＵＴＲＡＮのためのｅＮＢとＮＲ／ＮＧ−ＲＡＮのためのｇＮＢと通信しうる。
【００５４】
通信システム１０は、それ自身が、スタンドアロンサーバ、クラウド実装されたサーバ、分散サーバのハードウェア及び／又はソフトウェアにおいて、又はサーバファームにおける処理リソースとして具現化される、ホストコンピュータ２４に接続されうる。ホストコンピュータ２４は、サービスプロバイダの所有又は制御下にありえ、又は、サービスプロバイダによってもしくはサービスプロバイダの代理で運用されうる。通信システム１０とホストコンピュータ２４との間の接続２６、２８は、コアネットワーク１４からホストコンピュータ２４へ直接延びてもよいし、オプションの中間ネットワーク３０を介して延びてもよい。中間ネットワーク３０は、公衆、プライベート又はホストされたネットワークのいずれか１つまたはその１つより多くについての組み合わせでありうる。中間ネットワーク３０は、存在する場合、バックボーンネットワーク又はインターネットでありうる。いくつかの実施形態では、中間ネットワーク３０は、２つ以上のサブネットワーク（不図示）を有しうる。
【００５５】
図６の通信システムは、全体として、接続されるＷＤ２２ａ、２２ｂとホストコンピュータ２４との間の接続性を可能とする。その接続性は、オーバ・ザ・トップ（ＯＴＴ）接続を介すると説明されうる。ホストコンピュータ２４と接続されるＷＤ２２ａ、２２ｂは、仲介として、アクセスネットワーク１２、コアネットワーク１４、任意の中間ネットワーク３０及び取り得るさらなるインフラストラクチャ（不図示）を用いて、ＯＴＴ接続を介して、データ及び／又はシグナリングを通信するように構成される。ＯＴＴ接続は、ＯＴＴ接続が通過する参加中の通信デバイスの少なくとも一部が上りリンク通信及び下りリンク通信のルーティングを知らないという意味で、トランスペアレントでありうる。例えば、ネットワークノード１６は、ホストコンピュータ２４から発呼された、接続されるＷＤ２２ａに転送されるべき（ハンドオーバされるべき）データを伴う着信下りリンク通信の過去のルーティングについて知らされなくてもよいし、知らされる必要もない。同様に、ネットワークノード１６は、ＷＤ２２ａからホストコンピュータ２４へ発呼される発信上りリンク通信の将来のルーティングを知っている必要はない。
【００５６】
ネットワークノード１６は、ＷＤ２２から、レジューム要求メッセージを受信し、レジューム要求メッセージを受信したことの結果として、リリースメッセージおよびサスペンドメッセージのいずれかをＷＤ２２に伝達することを決定するように構成されたコンフィグユニット３２を含むように構成され、リリースメッセージ及びサスペンドメッセージのいずれかがＷＤ２２のウェイトタイマをコンフィグする。無線デバイス２２は、リリースメッセージ及びサスペンドメッセージのいずれかを、ネットワークノード１６から受信し、リリースメッセージ及びサスペンドメッセージのいずれかを受信したことの結果として、ウェイトタイマを更新するように構成されたタイマコントローラユニット３４を含むように構成される。別の実施形態では、無線デバイス２２は、ウェイトタイマが作動中に、下位レイヤにおいて完全性保護検証エラーを検出し、完全性保護検証エラーの検出の結果として、ウェイトタイマを更新するように構成されたタイマコントローラユニット３４を含むように構成される。
【００５７】
ここで、実施形態による、先の段落で議論したＷＤ２２、ネットワークノード１６及びホストコンピュータ２４の例示の実装について、図７を参照して説明する。通信システム１０において、ホストコンピュータ２４は、通信システム１０の異なる通信デバイスとの有線又は無線接続を設定して維持するように構成された通信インタフェース４０を含んだコンピュータハードウェア（ＨＷ）３８を有する。ホストコンピュータ２４は、記憶及び／又は処理能力を有しうる処理回路４２をさらに有する。処理回路４２は、プロセッサ４４及びメモリ４６を含みうる。具体的には、中央演算装置などのプロセッサ及びメモリに加えて又はこれに代えて、処理回路４２は、処理及び／又は制御のための集積回路、例えば、命令を実行するように適合された１つ以上のプロセッサ並びに／もしくはプロセッサコア、及び／又はＦＰＧＡ（フィールドプログラマブルゲートアレイ）、及び／又はＡＳＩＣ（特定用途向け集積回路）を有してもよい。プロセッサ４４は、任意の種類の揮発性及び／又は不揮発性メモリ、例えば、キャッシュ並びに／もしくはバッファメモリ、及び／又はＲＡＭ（ランダムアクセスメモリ）、及び／又はＲＯＭ（リードオンリーメモリ）、及び／又は光学メモリ、及び／又はＥＰＲＯＭ（消去可能プログラマブルリードオンリーメモリ）を含みうるメモリ４６にアクセス（例えば、書き込み及び／又は読み出し）を行うように構成されうる。
【００５８】
処理回路４２は、ここで説明する方法並びに／もしくは処理のいずれかを制御し、及び／又は、例えばホストコンピュータ２４によってこのような方法並びに／もしくは処理を実行させるように構成されうる。プロセッサ４４は、ここで説明したホストコンピュータ２４の機能を実行するための１つ以上のプロセッサ４４と対応する。ホストコンピュータ２４は、ここで説明したデータ、プログラムのソフトウェア、及び／又は他の情報を記憶するように構成されたメモリ４６を含む。いくつかの実施形態では、ソフトウェア４８及び／又はホストアプリケーション５０は、プロセッサ４４及び／又は処理回路４２によって実行される際に、プロセッサ４４及び／又は処理回路４２にホストコンピュータ２４に関してここで説明した処理を実行させる命令を含みうる。命令は、ホストコンピュータ２４と関連付けられたソフトウェアでありうる。
【００５９】
ソフトウェア４８は、処理回路４２によって実行可能でありうる。ソフトウェア４８は、ホストアプリケーション５０を含む。ホストアプリケーション５０は、ＷＤ２２とホストコンピュータ２４とにおいて終端するＯＴＴ接続５２を介して接続しているＷＤ２２などの遠隔ユーザへ、サービスを提供するように動作可能でありうる。遠隔のユーザにサービスを提供する際に、ホストアプリケーション５０は、ＯＴＴ接続５２を用いて送信されるユーザデータを提供しうる。「ユーザデータ」は、説明した機能を実装するとここで説明したデータ及び情報でありうる。１つの実施形態では、ホストコンピュータ２４は、サービスプロバイダに制御及び機能を提供するために構成されてもよいし、サービスプロバイダによって又はサービスプロバイダに代わって運用されてもよい。ホストコンピュータ２４の処理回路４２は、ホストコンピュータ２４が、ネットワークノード１６及び／又は無線デバイス２２の観測、監視、制御、それらへの送信及び／又はそれらからの受信することを可能としうる。ホストコンピュータ２４の処理回路４２は、サービスプロバイダが、ネットワークノード１６及び／又は無線デバイス２２の観測／監視／制御／これらへの送信／これらからの受信を行うことを可能とするように構成された通信ユニット５４を含みうる。
【００６０】
通信システム１０は、通信システム１０において備えられ、ホストコンピュータ２４と、そしてＷＤ２２と通信することを可能とするハードウェア５８を有したネットワークノード１６をさらに含む。ハードウェア５８は、通信システム１０の異なる通信デバイスのインタフェースと有線又は無線接続を設定して維持するための通信インタフェース６０、および、少なくともネットワークノード１６によってサービスが提供されるカバレッジエリア１８に位置するＷＤ２２との無線接続６４を、設定して維持するための無線インタフェース６２を含みうる。無線インタフェース６２は、例えば、１つ以上のＲＦ送信器、１つ以上のＲＦ受信器、及び／又は１つ以上のＲＦ送受信器として形成され、又は、これらを含みうる。通信インタフェース６０は、ホストコンピュータ２４への接続６６を促進するように構成されうる。接続６６は、直接であってもよいし、通信システム１０のコアネットワーク１４を、及び／又は、通信システム１０の外部の１つ以上の中間ネットワーク３０を通ってもよい。
【００６１】
示される実施形態では、ネットワークノード１６のハードウェア５８は、さらに処理回路６８を含む。処理回路６８は、プロセッサ７０およびメモリ７２を含みうる。具体的には、中央演算装置などのプロセッサとメモリに加えて又はこれに代えて、処理回路６８は、例えば、処理及び／又は制御のための集積回路、例えば、命令を実行するように適合された１つ以上のプロセッサ、及び／又はプロセッサコア、及び／又はＦＰＧＡ（フィールドプログラマブルゲートアレイ）、及び／又はＡＳＩＣ（特定用途向け集積回路）を含んでもよい。プロセッサ７０は、任意の種類の揮発性及び／又は不揮発性のメモリ、例えば、キャッシュ並びに／もしくはバッファメモリ、及び／又はＲＡＭ（ランダムアクセスメモリ）、及び／又はＲＯＭ（リードオンリーメモリ）、及び／又は光学メモリ、及び／又はＥＰＲＯＭ（消去可能プログラマブルリードオンリーメモリ）メモリ７２、にアクセス（例えば書き込み及び／又は読み出し）を行うように構成されうる。
【００６２】
このように、ネットワークノード１６は、例えばメモリ７２に内部的に記憶された、又は、外部接続を介してネットワークノード１６によってアクセス可能な外部メモリ（例えばデータベース、ストレージアレイ、ネットワークストレージデバイスなど）に記憶されたソフトウェア７４を有する。ソフトウェア７４は、処理回路６８によって実行可能でありうる。処理回路６８は、ここで説明した方法並びに／もしくは処理のいずれかを制御し、及び／又は、このような方法並びに／もしくは処理を、例えばネットワークノード１６によって実行させるように構成されうる。プロセッサ７０は、ネットワークノード１６のここで説明する機能を実行するための１つ以上のプロセッサ７０に対応する。メモリ７２は、ここで説明する、データ、プログラムのソフトウェアコード、及び／又は他の情報を記憶するように構成される。いくつかの実施形態では、ソフトウェア７４は、プロセッサ７０及び／又は処理回路６８によって実行される際に、ネットワークノード１６に関してここで説明した処理をそのプロセッサ７０及び／又は処理回路６８に実行させる命令を含みうる。例えば、ネットワークノード１６の処理回路６８は、ＷＤ２２からレジューム要求メッセージを受信し、レジューム要求メッセージを受信した結果として、ＷＤ２２へリリースメッセージ及びサスペンドメッセージのいずれかを伝達することを決定し、そのリリースメッセージ及びサスペンドメッセージのいずれかは、ＷＤ２２のウェイトタイマをコンフィグするように構成されたコンフィグユニット３２を含みうる。
【００６３】
いくつかの実施形態では、リリースメッセージ及びサスペンドメッセージのいずれかは、無線リソース制御（ＲＲＣ）リリースメッセージ、ＲＲＣサスペンドメッセージ、およびサスペンド表示を伴うＲＲＣリリースメッセージの何れかである。いくつかの実施形態では、ウェイトタイマはＴ３０２タイマであるいくつかの実施形態では、処理回路６８は、リリースメッセージ及びサスペンドメッセージのいずれかの受信に応答して、ウェイトタイマを停止すること；リリースメッセージ及びサスペンドメッセージのいずれかの中に、ウェイトタイマが作動中である場合に停止すべきであることを示すインジケータを特定したことに応答して、ウェイトタイマを停止すること；リリースメッセージ及びサスペンドメッセージのいずれかの中に、ウェイトタイマが既に作動中である場合にはその作動を継続すべきことを示すインジケータがないことを特定したことに応答して、ウェイトタイマを停止すること；リリースメッセージ及びサスペンドメッセージのいずれかにおいて特定されたウェイト値に従ってウェイトタイマを更新すること；リリースメッセージ及びサスペンドメッセージのいずれかの受信に応答してウェイトタイマをリスタートすること；完全性保護検証エラーの検出の結果としてウェイトタイマを更新すること；の少なくともいずれかを行うように、ＷＤ２２のウェイトタイマをコンフィグするために、リリースメッセージ及びサスペンドメッセージのいずれかを決定するように構成される。
【００６４】
通信システム１０は、既に参照しているＷＤ２２をさらに含む。ＷＤ２２は、ＷＤ２２が現在位置しているカバレッジエリア１８を供しているネットワークノード１６との無線接続６４を設定して維持するように構成された無線インタフェース８２を含みうるハードウェア８０を有しうる。無線インタフェース８２は、例えば、１つ以上のＲＦ送信器、１つ以上のＲＦ受信器、及び／又は、１つ以上の送受信器として形成され、又は、それらを含みうる。
【００６５】
ＷＤ２２のハードウェア８０は、さらに処理回路８４を含む。処理回路８４は、プロセッサ８６およびメモリ８８を含みうる。具体的には、中央演算装置などのプロセッサ及びメモリに加えて又はこれに代えて、処理回路８４は、処理及び／又は制御のための集積回路、例えば、命令を実行するように適合された１つ以上のプロセッサ並びに／もしくはプロセッサコア、及び／又はＦＰＧＡ（フィールドプログラマブルゲートアレイ）、及び／又はＡＳＩＣ（特定用途向け集積回路）を有してもよい。プロセッサ８６は、任意の種類の揮発性及び／又は不揮発性のメモリ、例えば、キャッシュ並びに／もしくはバッファメモリ、及び／又はＲＡＭ（ランダムアクセスメモリ）、及び／又はＲＯＭ（リードオンリーメモリ）、及び／又は光学メモリ、及び／又はＥＰＲＯＭ（消去可能プログラマブルリードオンリーメモリ）メモリ８８、にアクセス（例えば書き込み及び／又は読み出し）を行うように構成されうる。
【００６６】
このように、ＷＤ２２は、例えばメモリ８８に内部的に記憶された、又は、ＷＤ２２によってアクセス可能な外部メモリ（例えばデータベース、ストレージアレイ、ネットワークストレージデバイスなど）に記憶されたソフトウェア９０を有しうる。ソフトウェア９０は、処理回路８４によって実行可能でありうる。ソフトウェア９０は、クライアントアプリケーション９２を含みうる。クライアントアプリケーション９２は、ホストコンピュータ２４のサポートを受けて、ＷＤ２２を介して、人間のユーザ又は人間でないユーザに対してサービスを提供するように動作可能でありうる。ホストコンピュータ２４では、実行中のホストアプリケーション５０が、ＷＤ２２及びホストコンピュータ２４において終端するＯＴＴ接続５２を介して、実行中のクライアントアプリケーション９２と通信しうる。サービスをユーザに提供する際には、クライアントアプリケーション９２は、ホストアプリケーション５０から要求データを受信し、その要求データに応答してユーザデータを提供しうる。ＯＴＴ接続５２は、要求データとユーザデータとの両方を転送しうる。クライアントアプリケーション９２は、提供するユーザデータを生成するためにユーザと相互作用しうる。
【００６７】
処理回路８４は、ここで説明する方法並びに／もしくは処理のいずれかを制御し、及び／又は、例えばＷＤ２２によってこのような方法並びに／もしくは処理を実行させるように構成されうる。プロセッサ８６は、ここで説明したＷＤ２２の機能を実行するための１つ以上のプロセッサ８６と対応する。ＷＤ２２は、ここで説明したデータ、プログラムのソフトウェア、及び／又は他の情報を記憶するように構成されたメモリ８８を含む。いくつかの実施形態では、ソフトウェア９０及び／又はクライアントアプリケーション９２は、プロセッサ８６及び／又は処理回路８４によって実行される際に、プロセッサ８６及び／又は処理回路８４にＷＤ２２に関してここで説明した処理を実行させる命令を含みうる。例えば、無線デバイス２２の処理回路８４は、リリースメッセージおよびサスペンドメッセージのいずれかをネットワークノード１６から受信し；そのリリースメッセージ及びサスペンドメッセージのいずれかを受信したことに応じて、ウェイトタイマを更新するように構成されたタイマコントローラユニット３４を含みうる。別の実施形態では、無線デバイス２２の処理回路８４は、ウェイトタイマが作動中に下位レイヤにおいて完全性保護検証エラーを検出し；完全性保護検証エラーの検出に応じて、ウェイトタイマを更新する、ように構成されたタイマコントローラユニット３４を含みうる。
【００６８】
いくつかの実施形態では、処理回路８４は、ネットワークノード１６へ、レジューム要求メッセージを伝達し、そのレジューム要求メッセージを伝達した結果としてリリースメッセージ及びサスペンドメッセージのいずれかが受信されるようにさらに構成される。いくつかの実施形態では、リリースメッセージ及びサスペンドメッセージのいずれかは、無線リソース制御（ＲＲＣ）リリースメッセージ、ＲＲＣサスペンドメッセージ、及びサスペンド表示を伴うＲＲＣリリースメッセージの何れかである。いくつかの実施形態では、ウェイトタイマはＴ３０２タイマである。いくつかの実施形態では、処理回路８４は、リリースメッセージ及びサスペンドメッセージのいずれかの受信に応答してウェイトタイマを停止すること；リリースメッセージ及びサスペンドメッセージのいずれかの中で、ウェイトタイマが作動中である場合に停止すべきであることを示すインジケータを特定したことに応答して、ウェイトタイマを停止すること；リリースメッセージ及びサスペンドメッセージのいずれかの中で、ウェイトタイマが既に作動中である場合にその作動を維持すべきことを示すインジケータがないことを特定したことに応答してウェイトタイマを停止すること；リリースメッセージ及びサスペンドメッセージのいずれかにおいて特定されたウェイト値に従ってウェイトタイマを更新すること；及びリリースメッセージ及びサスペンドメッセージのいずれかの受信に応答してウェイトタイマを再開すること；の少なくともいずれかを行うように構成されることで、リリースメッセージ及びサスペンドメッセージのいずれかを受信した結果としてウェイトタイマを更新するように構成される。いくつかの実施形態では、処理回路８４は、ウェイトタイマが作動中に下位レイヤにおいて完全性保護検証エラーを検出し；完全性保護検証エラーの検出の結果としてウェイトタイマを更新するようにさらに構成される。
【００６９】
いくつかの実施形態では、ネットワークノード１６、ＷＤ２２、およびホストコンピュータ２４の内部動作が図７に示されうる。そして、独立して、周囲のネットワークトポロジが図６のものでありうる。
【００７０】
図７において、ＯＴＴ接続５２は、ホストコンピュータ２４と無線デバイス２２との間のネットワークノード１６を介した通信を図解するように、何らの中間的なデバイスおよびこれらのデバイスを介したメッセージの正確なルーティングを参照せずに、抽象的に描画されている。ネットワークインフラストラクチャが、ＷＤ２２もしくはホストコンピュータ２４を運用するサービスプロバイダまたはその両方から見えないように構成されうるルーティングを決定しうる。ＯＴＴ接続５２がアクティブな間、ネットワークインフラストラクチャは、さらに決定を行い、それにより（例えば、負荷分散の理由又はネットワークの再構成に基づいて）動的にルーティングを変更してもよい。
【００７１】
ＷＤ２２とネットワークノード１６との間の無線接続６４は、本開示を通じて説明される実施形態の教示に従う。その無線接続６４が最後のセグメントを形成しうるＯＴＴ接続５２を用いて、様々な実施形態のうちの１つ以上がＷＤ２２に提供されるＯＴＴサービスの性質を改善する。より正確には、これらの実施形態のうちのいくつかの教示が、データレート、レイテンシ、及び／又は、電力消費を改善し、それにより、ユーザの待ち時間の削減、ファイルサイズの制限の緩和、より良い応答、バッテリ寿命の延長などの利益を提供しうる。
【００７２】
いくつかの実施形態では、データレート、レイテンシ、および１つ以上の実施形態が改善する他のファクタを監視する目的で、測定手順が提供されうる。さらに、測定結果の変化に応じて、ホストコンピュータ２４とＷＤ２２との間のＯＴＴ接続５２を再構成するためのオプションのネットワーク機能があってもよい。測定手順及び／又はＯＴＴ接続５２を再構成するためのネットワーク機能は、ホストコンピュータ２４のソフトウェア４８において、ＷＤ２２のソフトウェア９０において、又はその両方において実装されうる。実施形態において、センサ（不図示）が、ＯＴＴ接続５２が経る通信デバイスに配置されてもよいし又はそれに関連して配置されてもよく；センサは、上で例示された監視される量の値を供給することにより、又は、ソフトウェア４８、９０がその監視される量を計算し又は推定しうる他の物理量の値を供給することにより、測定手順に参加しうる。ＯＴＴ接続５２の再構成は、メッセージフォーマット、再送設定、好ましいルーティングなどを含んでもよく；再構成は、ネットワークノード１６に影響を及ぼす必要がなく、ネットワークノード１６が知らない又は知覚できなくてもよい。いくつかのこのような手順及び機能は、本技術において知られると共に実践されうる。所定の実施形態では、測定は、ホストコンピュータ２４のスループット、伝搬時間、レイテンシなどの測定を促進する独自のＷＤシグナリングを含みうる。いくつかの実施形態では、伝搬時間、誤差などを測定する間に、ＯＴＴ接続５２を用いて、ソフトウェア４８、９０がメッセージを、特に空の又は「ダミー」のメッセージを送信させることにより実装されうる。
【００７３】
このように、いくつかの実施形態では、ホストコンピュータ２４は、ユーザデータを提供するように構成された処理回路４２と、ＷＤ２２への送信のためにセルラネットワークへそのユーザデータを転送するように構成された通信インタフェース４０とを含む。いくつかの実施形態では、セルラネットワークは、無線インタフェース６２を有するネットワークノード１６をも含む。いくつかの実施形態では、ネットワークノード１６は、及び／又は、ネットワークノード１６の処理回路６８は、ＷＤ２２への送信を準備し／開始し／維持し／サポートし／終了するための、及び／又は、ＷＤ２２からの送信信号の受信を準備し／終端し／維持し／サポートし／終了するためのここで説明する機能及び／又は方法を実行するように構成される。
【００７４】
いくつかの実施形態では、ホストコンピュータ２４は、処理回路４２と、ＷＤからネットワークノード１６への送信から生じるユーザデータを受信するように構成された通信インタフェース４０とを含む。いくつかの実施形態では、ＷＤ２２は、ネットワークノード１６への送信を準備し／開始し／維持し／サポートし／終了するための、及び／又は、ネットワークノード１６からの送信信号の受信を準備し／終端し／維持し／サポートし／終了するためのここで説明する機能及び／又は方法を実行するように構成され、及び／又は、そのように構成された無線インタフェース８２並びに／もしくは処理回路８４を有する。
【００７５】
図６及び図７は、それぞれのプロセッサの内部にあるような、コンフィグユニット３２及びタイマコントローラユニット３４などの様々な「ユニット」を示しているが、ユニットの一部が処理回路内の対応するメモリに記憶されるようにこれらのユニットが実装されうることが考えられる。換言すれば、そのユニットは、ハードウェアで、又は、処理回路内のハードウェアとソフトウェアとの組み合わせで実装されうる。
【００７６】
図８は、本開示のいくつかの実施形態による、リジェクトウェイトタイムの対処のための、ネットワークノード１６における例示の処理のフローチャートである。ネットワークノード１６により実行される１つ以上のブロック及び／又は機能及び／又は方法は、例示の方法に従って、ネットワークノード１６の１つ以上のエレメントにより、例えば処理回路６８におけるコンフィグユニット３２、プロセッサ７０、無線インタフェース６２などにより実行されうる。本方法は、ＷＤ２２から、コンフィグユニット３２、処理回路６８、及び／又は無線インタフェース６２等を介して、レジューム要求メッセージを受信すること（ブロックＳ１３４）を含む。本方法は、レジューム要求メッセージを受信した結果として、コンフィグユニット３２、処理回路６８、及び／又は無線インタフェース６２等を介して、リリースメッセージ及びサスペンドメッセージのいずれかをＷＤ２２に伝送することを決定すること（ブロックＳ１３６）を含み、リリースメッセージ及びサスペンドメッセージのいずれかは、ＷＤ２２のウェイトタイマをコンフィグする。
【００７７】
いくつかの実施形態では、リリースメッセージ及びサスペンドメッセージのいずれかは、無線リソース制御（ＲＲＣ）リリースメッセージ及びＲＲＣサスペンドメッセージのいずれかである。いくつかの実施形態では、ウェイトタイマはＴ３０２タイマである。いくつかの実施形態では、ＷＤ２２のウェイトタイマをコンフィグするためにリリースメッセージ及びサスペンドメッセージのいずれかを決定することは、コンフィグユニット３２、処理回路６８、及び／又は無線インタフェース６２等を介して、リリースメッセージ及びサスペンドメッセージのいずれかの受信に応答して、ＷＤ２２のウェイトタイマを停止するようにコンフィグすることをさらに含む。いくつかの実施形態では、ＷＤ２２のウェイトタイマをコンフィグするためにリリースメッセージ及びサスペンドメッセージのいずれかを決定することは、コンフィグユニット３２、処理回路６８、及び／又は無線インタフェース６２等を介して、リリースメッセージ及びサスペンドメッセージのいずれかに含まれるウェイト値に従ってウェイトタイマを更新するように、ＷＤ２２のウェイトタイマをコンフィグすることをさらに含む。
【００７８】
いくつかの実施形態では、ＷＤ２２のウェイトタイマをコンフィグするためにリリースメッセージ及びサスペンドメッセージのいずれかを決定することは、コンフィグユニット３２、処理回路６８、及び／又は無線インタフェース６２等を介して、リリースメッセージ及びサスペンドメッセージのいずれかの中で、ウェイトタイマが作動中である場合に停止すべきことを示すインジケータを特定したことに応答して、ＷＤ２２のウェイトタイマを停止するようにコンフィグすることをさらに含む。いくつかの実施形態では、ＷＤ２２のウェイトタイマをコンフィグするためにリリースメッセージ及びサスペンドメッセージのいずれかを決定することは、コンフィグユニット３２、処理回路６８、及び／又は無線インタフェース６２等を介して、リリースメッセージ及びサスペンドメッセージのいずれかの中で、ウェイトタイマが既に作動中である場合にその作動を継続すべきことを示すインジケータがないことを特定したことに応答して、ＷＤ２２のウェイトタイマを停止するようにコンフィグすることをさらに含む。いくつかの実施形態では、ＷＤ２２のウェイトタイマをコンフィグするためにリリースメッセージ及びサスペンドメッセージのいずれかを決定することは、コンフィグユニット３２、処理回路６８、及び／又は無線インタフェース６２等を介して、リリースメッセージ及びサスペンドメッセージのいずれかの受信に応答してウェイトタイマをリスタートするように、ＷＤのウェイトタイマをコンフィグすることをさらに含む。いくつかの実施形態では、方法は、レジューム要求メッセージを受信した結果として、コンフィグユニット３２、処理回路６８、及び／又は無線インタフェース６２等を介して、ＷＤ２２へ、リリースメッセージ及びサスペンドメッセージのいずれかを伝達することをさらに含む。
【００７９】
図９は、本開示のいくつかの実施形態による、無線デバイス２２における例示の処理のフローチャートである。ＷＤ２２により実行される１つ以上のブロック及び／又は機能及び／又は方法は、処理回路８４におけるタイマコントローラユニット３４、プロセッサ８６、無線インタフェース８２などのような、ＷＤ２２の１つ以上のエレメントにより実行されうる。本方法は、タイマコントローラユニット３４、処理回路８４、及び／又は無線インタフェース８２などを介して、リリースメッセージ及びサスペンドメッセージのいずれかを、ＷＤ２２がネットワークノード１６から受信すること（ブロックＳ１３８）を含む。本方法は、リリースメッセージ及びサスペンドメッセージのいずれかを受信したことの結果として、ウェイトタイマを、タイマコントローラユニット３４、処理回路８４、及び／又は無線インタフェース８２などを介して、更新すること（ブロックＳ１４０）を含む。
【００８０】
いくつかの実施形態では、ウェイトタイマはＴ３０２タイマである。いくつかの実施形態では、リリースメッセージ及びサスペンドメッセージのいずれかを受信したことの結果としてウェイトタイマを更新することは、リリースメッセージ及びサスペンドメッセージのいずれかの受信に応答して、タイマコントローラユニット３４、処理回路８４、及び／又は無線インタフェース８２等を介して、ウェイトタイマを停止することをさらに含む。いくつかの実施形態では、リリースメッセージ及びサスペンドメッセージのいずれかを受信したことの結果としてウェイトタイマを更新することは、さらに、タイマコントローラユニット３４、処理回路８４、及び／又は無線インタフェース８２等を介して、リリースメッセージ及びサスペンドメッセージのいずれかにおいて特定されたウェイト値に従って、ウェイトタイマを更新することを含む。いくつかの実施形態では、リリースメッセージ及びサスペンドメッセージのいずれかを受信したことの結果としてウェイトタイマを更新することは、リリースメッセージ及びサスペンドメッセージのいずれかの中で、ウェイトタイマが作動中である場合に停止すべきことを示すインジケータを特定したことに応答して、タイマコントローラユニット３４、処理回路８４、及び／又は無線インタフェース８２等を介して、ウェイトタイマを停止することを含む。
【００８１】
いくつかの実施形態では、リリースメッセージ及びサスペンドメッセージのいずれかを受信したことの結果としてウェイトタイマを更新することは、リリースメッセージ及びサスペンドメッセージのいずれかの中で、ウェイトタイマが既に作動中である場合にその作動を継続すべきことを示すインジケータがないことを特定したことに応答して、タイマコントローラユニット３４、処理回路８４、及び／又は無線インタフェース８２等を介して、ウェイトタイマを停止することをさらに含む。いくつかの実施形態では、リリースメッセージ及びサスペンドメッセージのいずれかを受信したことの結果としてウェイトタイマを更新することは、リリースメッセージ及びサスペンドメッセージのいずれかの受信に応答して、タイマコントローラユニット３４、処理回路８４、及び／又は無線インタフェース８２等を介して、ウェイトタイマをリスタートすることをさらに含む。いくつかの実施形態では、リリースメッセージ及びサスペンドメッセージのいずれかは、無線リソース制御（ＲＲＣ）リリースメッセージ及びＲＲＣサスペンドメッセージのいずれかである。いくつかの実施形態では、本方法は、タイマコントローラユニット３４、処理回路８４、及び／又は無線インタフェース８２等を介して、ネットワークノード１６へ、レジューム要求メッセージを伝達することをさらに含み、リリースメッセージ及びサスペンドメッセージのいずれかは、レジューム要求メッセージを伝達した結果として受信される。
【００８２】
図１０は、本開示の実施形態による、無線デバイス２２におけるまた別の例示の処理のフローチャートである。ＷＤ２２によって実行される１つ以上のブロック及び／又は機能及び／又は方法は、処理回路８４におけるタイマコントローラユニット３４、プロセッサ８６、無線インタフェース８２などのような、ＷＤ２２の１つ以上のエレメントにより実行されうる。本方法は、ＷＤ２２が、タイマコントローラユニット３４、処理回路８４、及び／又は無線インタフェース８２などを介して、ウェイトタイマが作動中に下位レイヤにおいて完全性保護検証エラーを検出すること（ブロックＳ１４２）を含む。本方法は、タイマコントローラユニット３４、処理回路８４、及び／又は無線インタフェース８２等を介して、完全性保護検証エラーの検出の結果としてウェイトタイマを更新すること（ブロックＳ１４４）を含む。
【００８３】
いくつかの実施形態では、ウェイトタイマはＴ３０２タイマである。いくつかの実施形態では、完全性保護検証エラーの検出の結果としてウェイトタイマを更新することは、完全性保護検証エラーの検出に応答して、タイマコントローラユニット３４、処理回路８４、及び／又は無線インタフェース８２等を介して、ウェイトタイマを停止することをさらに含む。いくつかの実施形態では、完全性保護検証エラーの検出の結果としてウェイトタイマを更新することは、完全性保護検証エラーの検出に応答して、タイマコントローラユニット３４、処理回路８４、及び／又は無線インタフェース８２等を介して、ウェイトタイマをリスタートすることをさらに含む。いくつかの実施形態では、ウェイトタイマが作動中に下位レイヤにおいて完全性保護検証エラーを検出することは、Ｔ３００Ｘタイマが満了したことを、タイマコントローラユニット３４、処理回路８４、及び／又は無線インタフェース８２等を介して、検出することと、Ｔ３００Ｘタイマが作動中に完全性チェック障害を検出することとの少なくともいずれかを含む。
【００８４】
本開示のいくつかの実施形態を説明したが、いくつかの実施形態のさらに詳細な説明を続ける。
【００８５】
本開示のいくつかの実施形態は、ウェイトタイマＴ３０２を停止し／更新するための新しいトリガ／仕組みを導入することに基づきうる。（ＲＲＣ＿ＣＯＮＮＥＣＴＥＤに入ったことに応じて、すなわち、ＷＤ２２がレジュームメッセージ又はＲＲＣセットアップメッセージを受信した際に）ＬＴＥにおいてＴ３０２が停止された既存のケースに加えて、本開示のいくつかの実施形態では、ＷＤ２２がレジューム手続を実行している（例えばＷＤ２２がＲｅｓｕｍｅＲｅｑｕｅｓｔメッセージを送信した）後述の新しいケースにおいても、タイマを停止する：
−ＷＤ２２がサスペンドメッセージを受信した場合；
−ＷＤ２２がリリースメッセージを受信した場合；及び／又は、
−ＷＤ２２が、タイマＴ３０２又はＴ３００／Ｔ３００Ｘ（これらのタイマはＷＤ２２がレジューム要求メッセージを送信する際に開始される）が作動中に、下位レイヤにおいて完全性保護検証エラーを検出した場合。
【００８６】
第１の実施形態では、ＷＤ２２は、ウェイトタイマ（例えばＴ３０２）が作動中に（例えばＷＤ２２によってネットワークノード１６へ）送信されたＲＲＣレジューム要求へ応答した（例えばネットワークノード１６からの）ＲＲＣリリースメッセージの受信に応じて、ウェイトタイマ（例えばタイマＴ３０２）が作動中の場合にそれを停止しうる。
【００８７】
第２の実施形態では、ＷＤ２２は、ウェイトタイマ（例えばＴ３０２）が作動中に（例えばＷＤ２２によってネットワークノード１６へ）送信されたＲＲＣレジューム要求へ応答した（例えばネットワークノード１６からの）ＲＲＣサスペンドメッセージの受信に応じて、ウェイトタイマ（例えばタイマＴ３０２）が作動中の場合にそれを停止しうる。この第２の実施形態の変形では、ＷＤ２２は、（例えばネットワークノード１６からの）（サスペンド表示を含んだ）ＲＲＣリリースメッセージの受信に応じて、ウェイトタイマ（例えばタイマＴ３０２）が作動中の場合にそれを停止しうる。
【００８８】
第３の実施形態では、ＷＤ２２は、サスペンド又はリリースメッセージ又は（サスペンドコンフィグを含んだ）リリースメッセージにおいて、ウェイトタイマ（例えばＴ３０２）が作動中の場合に停止すべきことの特定の表示を受信したことに応じてタイマを停止しうる。
【００８９】
第４の実施形態では、ＷＤ２２は、サスペンドメッセージ又はリリースメッセージ又は（サスペンド表示を含んだ）リリースメッセージにおいて、ウェイトタイマ（例えばＴ３０２）が作動中の場合に維持されるべきことの特定の表示がないことに応じて、タイマを停止しうる。
【００９０】
第５の実施形態では、ＷＤ２２は、ウェイトタイマ（例えばＴ３０２）が作動中に、（ＷＤ２２からのレジューム要求メッセージに応答して送信された）サスペンド又はリリースメッセージにおける待ち時間の値を（例えばネットワークノード１６から）受信し、ＷＤ２２は、更新動作を実行しうる。例えば、ＷＤ２２は、新たに受信した値に従って、新しい値を適用し、ウェイトタイマ（例えばＴ３０２）を開始しうる。
【００９１】
第６の実施形態では、ＷＤ２２は、（レジューム要求に応答した）サスペンド又はリリースメッセージを受信した際に、タイマ（例えばＴ３０２）をリセット又はリスタートしうる。
【００９２】
第７の実施形態では、ＷＤ２２は、タイマ（例えばＴ３０２又はＴ３００／Ｔ３００Ｘ）が作動中に下位レイヤ（例えばＰＤＣＰレイヤ）において完全性保護検証エラーを検出し、ＷＤ２２は、タイマを停止するか、タイマをリスタートするかのいずれかを行いうる。
【００９３】
上述の実施形態は、本開示のさらなる態様において、任意の形式で組み合わせることもできる。
【００９４】
本開示の実施形態のいくつかの例示の実装
第１及び第２の実施形態の例示の実装
第１の実施形態の１つの例によれば、ＷＤが（例えばネットワークノード１６から）ＲＲＣリリースメッセージを受信した結果として、ＷＤ２２は、以下を実行しうる。
（ａ）記憶されたＷＤ２２のＡＳコンテキスト及びＩ−ＲＮＴＩを破棄し；
（ｂ）タイマＴ３０２が作動中の場合は停止し；
（ｃ）ＲＲＣリリースメッセージが受信された瞬間から、又は、オプションで下位レイヤがＲＲＣリリースメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させる。
【００９５】
第２の実施形態の１つの例によれば、ＷＤ２２が（例えばネットワークノード１６から）ＲＲＣサスペンドメッセージを受信した結果として、ＷＤ２２は、以下を実行しうる：
（ａ）ＲＲＣサスペンドメッセージが受信された瞬間から、又は、オプションで下位レイヤがＲＲＣサスペンドメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させ；
（ｂ）タイマＴ３０２が作動中の場合は停止し；
（ｃ）ＲＲＣサスペンドメッセージがｉｄｌｅＭｏｄｅＭｏｂｉｌｉｔｙＣｏｎｔｒｏｌＩｎｆｏを含む場合：
（ｉ）ｉｄｌｅＭｏｄｅＭｏｂｉｌｉｔｙＣｏｎｔｒｏｌＩｎｆｏによって提供されるセル再選択優先度情報を記憶し；
（ｉｉ）ｔ３２０が含まれる場合：ｔ３２０の値に従って設定されたタイマ値を有するタイマＴ３２０を開始し；
（ｄ）そうでない場合：システム情報においてブロードキャストされたセル再選択優先度情報を適用し；
（ｅ）ネットワークによって提供された以下の情報を記憶し：ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、および、ｒａｎ−ＮｏｔｉｆｉｃａｔｉｏｎＡｒｅａＩｎｆｏ；
（ｆ）全てのシグナリング無線ベアラ（ＳＲＢ）およびデータ無線ベアラ（ＤＲＢ）のための無線リンク制御（ＲＬＣ）エンティティを再確立し；
（ｇ）ＲＲＣサスペンドメッセージがＲＲＣＲｅｓｕｍｅＲｅｑｕｅｓｔに応答して受信された場合を除き：現在のＲＲＣコンフィグ、現在のセキュリティコンテキスト、ロバストヘッダ圧縮（ＲＯＨＣ）状態を含んだＰＤＣＰ状態、ソースプライマリセル（ＰＣｅｌｌ）で使用されているＣ−ＲＮＴＩ、ソースＰＣｅｌｌのｃｅｌｌＩｄｅｎｔｉｔｙＯＴＴよび物理セルアイデンティティを含んだ、ＷＤ２２のＡＳコンテキストを記憶し；
（ｈ）ＳＲＢ０を除くすべてのＳＲＢ及びＤＲＢをサスペンドし；
（ｉ）タイマ値がｐｅｒｉｏｄｉｃ−ＲＮＡＵ−ｔｉｍｅｒに設定されたタイマＴ３８０を開始し；
（ｊ）ＲＲＣ接続のサスペンドを上位レイヤに示し；
（ｋ）完全性保護及び暗号化をサスペンドするように下位レイヤをコンフィグし、
（ｌ）ＲＲＣ＿ＩＮＡＣＴＩＶＥに入り、ＴＳ３８．３０４に規定される手順を実行する。
【００９６】
以下は、本開示の実施形態による例示のタイマを説明する例示の表（表２）である。具体的には、表２は、何がタイマを開始しうるか、何がタイマを停止しうるか、および、タイマの満了時に何が起きうるかを、以下のように示す：
表２
2021525462.tif 000004
【００９７】
第３の実施形態の例示の実装
第３の実施形態の１つの例によれば、ＷＤ２２は、サスペンド又はリリースメッセージ又は（サスペンドコンフィグを伴う）リリースメッセージにおいて、ウェイトタイマＴ３０２が作動中である場合に停止されなければならないことの特定の表示を受信したことに応じて、ウェイトタイマを停止しうる。それ以外の場合、その表示が存在しない場合、ＷＤ２２はタイマを停止しない。ＷＤ２２が（例えばネットワークノード１６から）ＲＲＣサスペンドメッセージを受信した結果として、ＷＤ２２は以下を実行する：
ａ）ＲＲＣサスペンドメッセージが受信された瞬間から、又は、オプションで下位レイヤがＲＲＣサスペンドメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させ、
ｂ）ＲＲＣサスペンドメッセージがタイマＴ３０２を停止することの表示を含む場合、タイマＴ３０２が作動中であれば停止し；
ｃ）ＲＲＣサスペンドメッセージがｉｄｌｅＭｏｄｅＭｏｂｉｌｉｔｙＣｏｎｔｒｏｌＩｎｆｏを含む場合：
（１）ｉｄｌｅＭｏｄｅＭｏｂｉｌｉｔｙＣｏｎｔｒｏｌＩｎｆｏによって提供されるセル再選択優先度情報を記憶し；
（２）ｔ３２０が含まれる場合：ｔ３２０の値に従って設定されたタイマ値を有するタイマＴ３２０を開始し；
ｄ）それ以外の場合：
（１）システム情報においてブロードキャストされたセル再選択優先度情報を適用し；
ｅ）ネットワークによって提供された以下の情報を記憶し：ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、および、ｒａｎ−ＮｏｔｉｆｉｃａｔｉｏｎＡｒｅａＩｎｆｏ；
ｆ）全てのＳＲＢ及びＤＲＢに対してＲＬＣエンティティを再確立し；
ｇ）ＲＲＣサスペンドメッセージが、ＲＲＣＲｅｓｕｍｅＲｅｑｕｅｓｔに応答して受信された場合：
（１）現在のＲＲＣコンフィグ、現在のセキュリティコンテキスト、ＲＨＯＣ状態を含んだＰＤＣＰ状態、ソースＰＣｅｌｌにおいて使用されているＣ−ＲＮＴＩ、ソースＰＣｅｌｌのｃｅｌｌＩｄｅｎｔｉｔｙ及び物理セルアイデンティティを含んだＷＤ２２のＡＳコンテキストを記憶し；
ｈ）ＳＲＢ０を除く、全てのＳＲＢ及びＤＲＢをサスペンドし；
ｉ）タイマ値がｐｅｒｉｏｄｉｃ−ＲＮＡＵ−ｔｉｍｅｒに設定されたタイマＴ３８０を開始し；
ｊ）ＲＲＣ接続のサスペンドを上位レイヤに示し；
ｋ）完全性保護及び暗号化をサスペンドするように下位レイヤをコンフィグし；
ｌ）ＲＲＣ＿ＩＮＡＣＴＩＶＥに入り、ＴＳ３８．３０４に規定される手順を実行する。
【００９８】
第３の実施形態の別の例によれば、ＷＤ２２が（例えばネットワークノード１６から）ＲＲＣリリースメッセージを受信した結果として、ＷＤ２２は以下を実行しうる：
ａ）記憶していたＷＤ２２のＡＳコンテキスト及びＩ−ＲＮＴＩを破棄し；
ｂ）ＲＲＣリリースメッセージが、タイマＴ３０２を停止することの表示を含む場合、タイマＴ３０２が作動中である場合には停止し；
ｃ）ＲＲＣリリースメッセージが受信された瞬間から、又は、オプションで下位レイヤがＲＲＣリリースメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させる。
【００９９】
第４の実施形態の例示の実装
第４の実施形態の１つの例によれば、ＷＤ２２は、サスペンドメッセージ又はリリースメッセージ又は（サスペンドコンフィグを伴う）リリースメッセージにおいてウェイトタイマＴ３０２が作動中である場合に停止されなければならないことの特定の表示がないことに応じて、タイマを停止しうる。この例によれば、ＷＤ２２が（例えばネットワークノード１６から）ＲＲＣＳｕｓｐｅｎｄを受信した結果として、ＷＤ２２は以下を実行しうる：
ａ）ＲＲＣサスペンドメッセージが受信された瞬間から、又は、オプションで下位レイヤがＲＲＣサスペンドメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させ；
ｂ）ＲＲＣサスペンドメッセージがタイマＴ３０２を維持することの表示を含まない場合、タイマＴ３０２が作動中ならば停止し；
ｃ）ＲＲＣサスペンドメッセージがｉｄｌｅＭｏｄｅＭｏｂｉｌｉｔｙＣｏｎｔｒｏｌＩｎｆｏＷＤ２２お振込み汲む場合：
（１）ｉｄｌｅＭｏｄｅＭｏｂｉｌｉｔｙＣｏｎｔｒｏｌＩｎｆｏによって提供されたセル再選択優先度情報を記憶し；
（２）ｔ３２０が含まれる場合：ｔ３２０の値に従って設定されたタイマ値を有するタイマＴ３２０を開始し；
ｄ）それ以外の場合：
（１）システム情報においてブロードキャストされたセル再選択優先度情報を適用し；
ｅ）ネットワークによって提供された以下の情報を記憶し：ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、および、ｒａｎ−ＮｏｔｉｆｉｃａｔｉｏｎＡｒｅａＩｎｆｏ；
ｆ）全てのＳＲＢ及びＤＲＢのためにＲＬＣエンティティを再確立し；
ｇ）ＲＲＣサスペンドメッセージがＲＲＣＲｅｓｕｍｅＲｅｑｕｅｓｔに応じて受信された場合を除き：
（１）現在のＲＲＣコンフィグ、現在のセキュリティコンテキスト、ＲＯＨＣ状態を含んだＰＤＣＨ状態、ソースＰＣｅｌｌにおいて使用されているＣ−ＲＮＴＩ、ソースＰＣｅｌｌのｃｅｌｌＩｄｅｎｔｉｔｙ及び物理セルアイデンティティを含んだＷＤ２２のＡＳコンテキストを記憶し；
ｈ）ＳＲＢ０を除き、全てのＳＲＢ及びＤＲＢをサスペンドし；
ｉ）タイマ値がｐｅｒｉｏｄｉｃ−ＲＮＡＵ−ｔｉｍｅｒに設定されたタイマＴ３８０を開始し；
ｊ）ＲＲＣ接続のサスペンドを上位レイヤに示し；
ｋ）完全性保護及び暗号化をサスペンドするように下位レイヤをコンフィグし；
ｌ）ＲＲＣ＿ＩＮＡＣＴＩＶＥに入り、ＴＳ３８．３０４に規定された手順を実行する。
【０１００】
第４の実施形態の別の例によれば、ＷＤ２２が（例えばネットワークノード１６から）ＲＲＣＲｅｌｅａｓｅを受信した結果として、ＷＤ２２は以下を実行しうる：
ａ）記憶しているＷＤ２２のＡＳコンテキスト及びＩ−ＲＮＴＩを破棄し；
ｂ）ＲＲＣリリースメッセージがタイマＴ３０２を維持することの表示を含む場合、タイマＴ３０２が作動中である場合に停止し；
ｃ）ＲＲＣリリースメッセージが受信された瞬間から、又は、オプションで下位レイヤがＲＲＣリリースメッセージの受信の確認に成功したことを示すときはいずれか早い方から、Ｘｍｓ（Ｘの値は、設定可能であってもよく、又は、例えば６０ｍｓに固定されてもよい）だけ、この項で定義された以下の動作を遅延させる。
【０１０１】
第５の実施形態の例示の実装
第５の実施形態によれば、ＷＤ２２は、ウェイトタイマＴ３０２が作動中に、（例えばネットワークノード１６から）（レジューム要求に応答した）サスペンド又はリリースメッセージにおいて待ち時間の値を受信し、更新動作を実行する。すなわち、ＷＤ２２は、新たに受信した値に従って、新しい値を適用して、ウェイトタイマＴ３０２を開始する。この例によれば、ＷＤ２２が（例えばネットワークノード１６から）ＲＲＣＳｕｓｐｅｎｄの結果として、ＷＤ２２は、以下を実行しうる：
ａ）ＲＲＣサスペンドメッセージが受信された瞬間、又は、オプションで下位レイヤがＲＲＣサスペンドメッセージの受信の確認に成功したことを示すときにはいずれか早い方から、Ｘｍｓ（Ｘの値は、設定可能であってもよく、又は、例えば６０ｍｓに固定されてもよい）だけ、この項で定義された以下の動作を遅延させ；
ｂ）ＲＲＣサスペンドメッセージが待ち時間を含む場合：
（１）タイマＴ３０２をその待ち時間の値に設定し；
（２）タイマＴ３０２を開始し；
ｃ）ＲＲＣサスペンドメッセージがｉｄｌｅＭｏｄｅＭｏｂｉｌｉｔｙＣｏｎｔｒｏｌＩｎｆｏを含む場合：
（１）ｉｄｌｅＭｏｄｅＭｏｂｉｌｉｔｙＣｏｎｔｒｏｌＩｎｆｏによって提供されたセル再選択優先度情報を記憶し；
（２）ｔ３２０が含まれる場合：ｔ３２０の値に従って設定されたタイマ値を有するタイマＴ３２０を開始し；
ｄ）それ以外の場合：
（１）システム情報においてブロードキャストされたセル再選択優先度情報を適用し；
ｅ）ネットワークによって提供された以下の情報を記憶し：ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏ；
ｆ）全てのＳＲＢ及びＤＲＢのためにＲＬＣエンティティを再確立し；
ｇ）ＲＲＣＲｅｓｕｍｅＲｅｑｕｅｓｔに応答してＲＲＣサスペンドメッセージが受信された場合を除き：
（１）現在のＲＲＣコンフィグ、現在のセキュリティコンテキスト、ＲＯＨＣ状態を含んだＰＤＣＰ状態、ソースＰＣｅｌｌで使用されているＣ−ＲＮＴＩ、ＰＣｅｌｌのｃｅｌｌＩｄｅｎｔｉｔｙ及び物理セルアイデンティティを含んだＷＤ２２のＡＳコンテキストを記憶し；
ｈ）ＳＲＢ０を除き、全てのＳＲＢ及びＤＲＢをサスペンドし；
ｉ）タイマ値がｐｅｒｉｏｄｉｃ−ＲＮＡＵ−ｔｉｍｅｒに設定されたタイマＴ３８０を開始し；
ｊ）ＲＲＣ接続のサスペンドを上位レイヤに示し；
ｋ）完全性保護及び暗号化をサスペンドするように下位レイヤをコンフィグし；
ｌ）ＲＲＣ＿ＩＮＡＣＴＩＶＥに入り、ＴＳ３８．３０４［２１］に規定される手順を実行する。
【０１０２】
第５の実施形態の別の例によれば、ＷＤ２２が（例えばネットワークノード１６から）ＲＲＣＲｅｌｅａｓｅを受信した結果として、ＷＤ２２は、以下を実行してもよい：
ａ）記憶されているＷＤ２２のＡＳコンテキスト及びＩ−ＲＮＴＩを破棄し；
ｂ）ＲＲＣリリースメッセージが待ち時間を含む場合：
（１）待ち時間の値をタイマＴ３０２に設定し；
（２）タイマＴ３０２を開始し；
ｃ）ＲＲＣリリースメッセージが受信された瞬間から、又はオプションとしてＲＲＣリリースメッセージの受信の確認が成功したことを下位レイヤが示すときにはいずれか早い方からＸｍｓだけ、この項で定義される以下の動作を遅延させる。
【０１０３】
第６の実施形態の例示の実装
第６の実施形態の１つの例によれば、ＷＤ２２は、（例えばネットワークノード１６からの）（レジューム要求に応答して）サスペンド又はリリースメッセージを受信した際に、タイマＴ３０２をリセット又はリスタートする。例において、ＷＤ２２がＲＲＣサスペンドメッセージを受信した結果として、ＷＤ２２は、以下を実行しうる：
ａ）ＲＲＣサスペンドメッセージが受信された瞬間又はオプションとしてＲＲＣサスペンドメッセージの受信の確認に成功したことを下位レイヤが示すときにはいずれか早い方からＸｍｓだけ、この項で定義した以下の動作を遅延させ；
ｂ）作動中である場合、Ｔ３０２をリスタートし；
ｃ）ＲＲＣサスペンドメッセージがｉｄｌｅＭｏｄｅＭｏｂｉｌｉｔｙＣｏｎｔｒｏｌＩｎｆｏを含む場合：
ｉｄｌｅＭｏｄｅＭｏｂｉｌｉｔｙＣｏｎｔｒｏｌＩｎｆｏによって提供されたセル再選択優先度情報を記憶し；
（１）ｔ３２０が含まれている場合、ｔ３２０の値に従って設定されるタイマ値を有するタイマＴ３２０を開始し；
ｄ）そうでない場合：
（１）システム情報においてブロードキャストされたセル再選択優先度情報を適用し；
ｅ）ネットワークによって提供される以下の情報：ｒｅｓｕｍｅＩｄｅｎｔｉｔｙ、ｎｅｘｔＨｏｐＣｈａｉｎｉｎｇＣｏｕｎｔ、ｒａｎ−ＰａｇｉｎｇＣｙｃｌｅ、およびｒａｎ−ＮｏｔｉｆｉｃａｔｉｏｎＡｒｅａＩｎｆｏを記憶し；
ｆ）全てのＳＲＢ及びＤＲＢのためのＲＬＣエンティティを再確立し；
ｇ）ＲＲＣＲｅｓｕｍｅＲｅｑｕｅｓｔに応答してＲＲＣサスペンドメッセージが受信された場合を除き：
（１）現在のＲＲＣコンフィグ、現在のセキュリティコンテキスト、ＲＯＨＣ状態を含んだＰＤＣＰ状態、ソースＰＣｅｌｌにおいて使用されているＣ−ＲＮＴＩ、ソースＰＣｅｌｌのｃｅｌｌＩｄｅｎｔｉｔｙ及び物理セルアイデンティティを含んだ、ＷＤ２２のＡＳコンテキストを記憶し；
ｈ）ＳＲＢ０を除き、全てのＳＲＢ及びＤＲＢをサスペンドし；
ｉ）ｐｅｒｉｏｄｉｃ−ＲＮＡＵ−ｔｉｍｅｒに設定されたタイマ値を有するタイマＴ３８０を開始し；
ｊ）ＲＲＣ接続のサスペンドを上位レイヤに示し；
ｋ）完全性保護及び暗号化をサスペンドするように下位レイヤをコンフィグし；
ｌ）ＲＲＣ＿ＩＮＡＣＴＩＶＥに入り、ＴＳ３８．３０４に規定される手順を実行する。
【０１０４】
第６の実施形態の別の例では、ＷＤ２２がＲＲＣリリースメッセージを受信した結果として、ＷＤ２２は以下を実行しうる：
ａ）記憶されているＷＤ２２のＡＳコンテキスト及びＩ−ＲＮＴＩを破棄し；
ｂ）作動中である場合、Ｔ３０２をリスタートし；
ｃ）ＲＲＣリリースメッセージが受信された瞬間又はオプションとしてＲＲＣリリースメッセージの受信の確認に成功したことを下位レイヤが示すときにはいずれか早い方からＸｍｓだけ、この項で定義した以下の動作を遅延させる。
【０１０５】
第７の実施形態の例示の実装
第７の実施形態の１つの例において、ＷＤ２２は、タイマＴ３０２又はＴ３００／Ｔ３００Ｘが作動中に、下位レイヤ（例えばＰＤＣＰレイヤ）において完全性保護検証エラーを検出し、タイマＴ３０２を停止するか、タイマＴ３０２をリスタートする。１つの例によれば、ＷＤ２２は、Ｔ３００Ｘタイマが満了したことを検出し、又は、Ｔ３００Ｘが作動中に下位レイヤから完全性チェック障害を検出しうる。その結果、ＷＤ２２は、以下を実行しうる：
ａ）作動中である場合にＴ３０２を停止し；
ｂ）タイマＴ３００Ｘが満了した場合又は完全性チェック障害表示を受信したことに応じて：５．３．１１に規定されるようにＲＲＣ＿ＩＤＬＥへ行ったことに応じたリリース原因を伴うＲＲＣ  Ｒｅｓｕｍｅ  ｆａｉｌｕｒｅの動作を実行する。
【０１０６】
いくつかの実施形態では、端末又は無線デバイス又はノードをコンフィグすることは、そのコンフィグ、例えば、少なくとも１つの設定及び／又は登録エントリ及び／又は動作モードを変更するように、その無線デバイス又はノードに指示すること、又はその無線デバイス又はノードをそのように動作させることを含みうる。端末又は無線デバイス又はノードは、例えば端末又は無線デバイスのメモリ内の情報又はデータに従って、それ自身をコンフィグするように構成されうる。他のデバイス又はノード又はネットワークによってノード又は端末又は無線デバイスをコンフィグすることは、他のデバイス又はノード又はネットワークによる無線デバイスへの、情報及び／又はデータ及び／又は命令、例えば（コンフィグデータでありうる及び／又はそれを含みうる）割り当てデータ、及び／又は、スケジューリングデータ、及び／又は、スケジューリンググラント、を指し、及び／又はそれらを送信することを含みうる。端末をコンフィグすることは、例えば本開示の実施形態によるウェイトタイマのためのパラメータを示すＲＲＣメッセージを端末へ送信することを含みうる。
【０１０７】
無線ノードのコンフィグ
無線ノード、特に、端末又はユーザ端末又はＷＤ２２をコンフィグすることは、無線ノードがそのコンフィグに従って動作するように適合される又はそのようにさせられる又はそのように設定される及び／又はそのように命令されることを指しうる。コンフィグは、他のデバイス、例えばネットワークノード１６（例えば、基地局又はｅＮｏｄｅＢのようなネットワークの無線ノード）又はネットワークによって行われてもよく、その場合、コンフィグされるべき無線ノードへコンフィグデータを送信することを含みうる。無線ノードは、ネットワーク又はネットワークノード１６から受信されたコンフィグデータに基づいて、自身をコンフィグしうる。ネットワークノード１６は、コンフィグのためのその１つ以上の回路を使用し、及び／又はそれを使用するように適合されうる。コンフィグデータは、コンフィグ情報並びに／もしくは１つ以上の対応する表示並びに／もしくはメッセージを含み、及び／又は、それらによって表現されうる。
【０１０８】
一般的なコンフィグ
一般に、コンフィグは、設定を表すコンフィグデータを決定することと、さらなる無線ノード（又は、無線デバイス２２に到達するまで繰り返されうる他のノード）へコンフィグデータを送信しうる１つ以上の他のノードへ、コンフィグデータを（平行的に及び／又は逐次的に）提供すること、例えば送信することとを含みうる。代わりに、又は追加的に、例えばネットワークノード１６や他のデバイスによって、無線ノードをコンフィグすることは、例えばネットワークのより高いレベルのノードでありうるネットワークノード１６のような他のノードから、コンフィグデータ及び／又はコンフィグデータに関するデータを受信することと、その無線ノードへ受信したコンフィグデータを送信することとを含みうる。したがって、コンフィグを決定することと無線ノードへコンフィグデータを送信することは、適切なインタフェース、例えばＬＴＥの場合にはＸ２インタフェース又はＮＲに対する対応するインタフェースを介して通信することが可能でありうる、様々なネットワークノード又はエンティティによって実行されうる。端末（例えばＷＤ２２）をコンフィグすることは、端末のための下りリンク並びに／もしくは上りリンク送信、例えば下りリンクデータ並びに／もしくは下りリンク制御シグナリング並びに／もしくはＤＣＩ並びに／もしくは上りリンク制御やデータや通信シグナリング、のスケジューリングを、及び／又は、リソースの並びに／もしくはそのためのリソースプールをコンフィグすることを含みうる。具体的には、端末（例えばＷＤ２２）をコンフィグすることは、本開示の実施形態に従って、ウェイトタイマを更新するようにＷＤ２２をコンフィグすることを含みうる。
【０１０９】
当業者によって理解されるように、ここで説明されたコンセプトは、方法、データ処理システム、コンピュータプログラムプロダクト、及び／又は、実行可能なコンピュータプログラムを記憶するコンピュータ記憶媒体として具現化されうる。したがって、ここで説明したコンセプトは、全体としてハードウェアの実施形態、全体としてソフトウェアの実施形態、又はソフトウェアとハードウェアとの組み合わせの実施形態の、全てが一般的に「回路」又は「モジュール」とここで呼ばれる態様の形式をとりうる。ここで説明した任意の処理、ステップ、動作、及び／又は機能は、ソフトウェア及び／又はファームウェア及び／又はハードウェアで実装されうる対応するモジュールによって実行され、及び／又はそれと関連付けられうる。さらに、本開示は、コンピュータによって実行可能な媒体に実装されたコンピュータプログラムコードを有する有形のコンピュータ使用可能記憶媒体上のコンピュータプログラムプロダクトの形式をとりうる。ハードディスク、ＣＤ−ＲＯＭ、電気ストレージデバイス、光学ストレージデバイス、又は磁気ストレージデバイスを含んだ、任意の適切な有形のコンピュータ可読媒体が利用されうる。
【０１１０】
いくつかの実施形態について、方法、システム、およびコンピュータプログラムプロダクトのフローチャート図及び／又はブロック図を参照してここで説明した。フローチャート図及び／又はブロック図の各ブロック、およびフローチャート図及び／又はブロック図におけるブロックの組み合わせが、コンピュータプログラム命令によって実装可能であることが理解されるだろう。これらのコンピュータプログラム命令は、マシンを作り出すように、（それにより特定用途用のコンピュータを作り出すための）汎用コンピュータ、特定用途用のコンピュータ、又は他のプログラム可能なデータ処理装置のプロセッサに提供され、そのコンピュータまたは他のプログラム可能なデータ処理装置のプロセッサを介して実行する命令がフローチャート及び／又はブロック図の１つまたは複数のブロックにおいて特定される機能／動作を実装するための手段を作り出すようにしうる。
【０１１１】
これらのコンピュータプログラム命令は、コンピュータ可読メモリに記憶された命令が、フローチャート及び／又はブロック図の１つまたは複数のブロックにおいて特定される機能／動作を実装する指示手段を含んだ製品を作り出すように、コンピュータまたは他のプログラム可能データ処理装置に特定の方法で機能するように指図することができるコンピュータ可読メモリまたは記憶媒体に記憶されてもよい。
【０１１２】
また、コンピュータプログラム命令は、そのコンピュータまたは他のプログラム可能装置において実行される命令がフローチャート及び／又はブロック図の１つまたは複数のブロックで特定された機能／動作を実装するためのステップを提供するように、コンピュータ実装された処理を作り出すための、一連の動作ステップをコンピュータまたは他のプログラム可能な装置で実行させるために、コンピュータまたは他のプログラム可能なデータ処理装置に展開されうる。
【０１１３】
ブロックにおいて言及された機能／動作は、動作の説明において言及された順序から離れて生じうることが理解されるべきである。例えば、含まれる機能／動作に応じて、連続して示される２つのブロックは、実際には、実態的に並行して実行されてもよく、また、そのブロックは、場合によっては、逆の順序で実行されてもよい。図の一部が通信の主要な方向を示すために通信パス上に矢印を含んでいるが、描画された矢印の反対方向において通信が発生してもよいことが理解されるべきである。
【０１１４】
ここで説明したコンセプトの動作を実行するためのコンピュータプログラムコードは、Ｊａｖａ（登録商標）やＣ＋＋などのオブジェクト指向のプログラム言語で書かれうる。しかしながら、本開示の動作を実行するためのコンピュータプログラムコードは、「Ｃ」プログラム言語などの従来の手続き型プログラム言語で書かれてもよい。プログラムコードは、スタンドアロンソフトウェアパッケージとして、ユーザのコンピュータで全てが、ユーザのコンピュータで一部が、実行されてもよいし、ユーザのコンピュータで一部がそして遠隔コンピュータで一部が、又は、遠隔コンピュータで全部が、実行されてもよい。後者のシナリオでは、遠隔コンピュータは、ローカルエリアネットワーク（ＬＡＮ）やワイドエリアネットワーク（ＷＡＮ）を通じてユーザのコンピュータに接続されてもよく、又は、（例えば、インターネットサービスプロバイダを用いるインターネットを通じて）外部のコンピュータへの接続がなされてもよい。
【０１１５】
上述の説明及び図面と組み合わせて、多くの様々な実施形態についてここで説明した。これらの実施形態の全ての組み合わせ及びサブコンビネーションを逐語的に説明し図解することは、過度に反復的で分かりにくくなることが理解されるだろう。したがって、全ての実施形態は、いずれかの方法及び／又は組み合わせで、組み合わせることが可能であり、図面を含む本明細書は、ここで説明した実施形態の、そして、それらを行い使用する方法及び処理の、全ての組み合わせ及びサブコンビネーションの完全な文書での説明を構成していると解さなければならず、このような組み合わせ及びサブコンビネーションのいずれかに対するクレームをサポートしているものである。
【０１１６】
当業者によって理解されるように、ここで説明されたコンセプトは、方法、データ処理システム、及び／又はコンピュータプログラムプロダクトとして具現化されうる。したがって、ここで説明したコンセプトは、全体としてハードウェアの実施形態、全体としてソフトウェアの実施形態、又はソフトウェアとハードウェアとの組み合わせの実施形態の、全てが一般的に「回路」又は「モジュール」とここで呼ばれる態様の形式をとりうる。さらに、本開示は、コンピュータによって実行可能な媒体に実装されたコンピュータプログラムコードを有する有形のコンピュータ使用可能記憶媒体上のコンピュータプログラムプロダクトの形式をとりうる。ハードディスク、ＣＤ−ＲＯＭ、電気ストレージデバイス、光学ストレージデバイス、又は磁気ストレージデバイスを含んだ、任意の適切な有形のコンピュータ可読媒体が利用されうる。
【０１１７】
いくつかの実施形態について、方法、システム、およびコンピュータプログラムプロダクトのフローチャート図及び／又はブロック図を参照してここで説明した。フローチャート図及び／又はブロック図の各ブロック、およびフローチャート図及び／又はブロック図におけるブロックの組み合わせが、コンピュータプログラム命令によって実装可能であることが理解されるだろう。これらのコンピュータプログラム命令は、マシンを作り出すように、汎用コンピュータ、特定用途用のコンピュータ、又は他のプログラム可能なデータ処理装置のプロセッサに提供され、そのコンピュータまたは他のプログラム可能なデータ処理装置のプロセッサを介して実行する命令がフローチャート及び／又はブロック図の１つまたは複数のブロックにおいて特定される機能／動作を実装するための手段を作り出すようにしうる。
【０１１８】
これらのコンピュータプログラム命令は、コンピュータ可読メモリに記憶された命令が、フローチャート及び／又はブロック図の１つまたは複数のブロックにおいて特定される機能／動作を実装する指示手段を含んだ製品を作り出すように、コンピュータまたは他のプログラム可能データ処理装置に特定の方法で機能するように指図することができるコンピュータ可読メモリまたは記憶媒体に記憶されてもよい。
【０１１９】
また、コンピュータプログラム命令は、そのコンピュータまたは他のプログラム可能装置において実行される命令がフローチャート及び／又はブロック図の１つまたは複数のブロックで特定された機能／動作を実装するためのステップを提供するように、コンピュータ実装された処理を作り出すための、一連の動作ステップをコンピュータまたは他のプログラム可能な装置で実行させるために、コンピュータまたは他のプログラム可能なデータ処理装置に展開されうる。
【０１２０】
ブロックにおいて言及された機能／動作は、動作の説明において言及された順序から離れて生じうることが理解されるべきである。例えば、含まれる機能／動作に応じて、連続して示される２つのブロックは、実際には、実態的に並行して実行されてもよく、また、そのブロックは、場合によっては、逆の順序で実行されてもよい。図の一部が通信の主要な方向を示すために通信パス上に矢印を含んでいるが、描画された矢印の反対方向において通信が発生してもよいことが理解されるべきである。
【０１２１】
ここで説明したコンセプトの動作を実行するためのコンピュータプログラムコードは、Ｊａｖａ（登録商標）やＣ＋＋などのオブジェクト指向のプログラム言語で書かれうる。しかしながら、本開示の動作を実行するためのコンピュータプログラムコードは、「Ｃ」プログラム言語などの従来の手続き型プログラム言語で書かれてもよい。プログラムコードは、ユーザのコンピュータで全てが、ユーザのコンピュータで一部がそして遠隔コンピュータで一部が、又は、遠隔コンピュータで全部が、実行されてもよい。後者のシナリオでは、遠隔コンピュータは、ローカルエリアネットワーク（ＬＡＮ）やワイドエリアネットワーク（ＷＡＮ）を通じてユーザのコンピュータに接続されてもよく、又は、（例えば、インターネットサービスプロバイダを用いるインターネットを通じて）外部のコンピュータへの接続がなされてもよい。
【０１２２】
多くの様々な実施形態について、上の説明及び図面に関連して、ここで説明した。これらの実施形態の全ての組み合わせ及びサブコンビネーションを文字通り説明及び図解することは過度に反復が多く、不明りょうにするものであることが理解されるだろう。したがって、任意の方法及び／又は組み合わせで全ての実施形態を組み合わせることができ、図面を含む本明細書は、ここで説明した実施形態の、そして、それらを実行し使用する方法及び処理の、全ての組み合わせ及びサブコンビネーションの完全な書面による説明を構成するものと解釈されなければならず、任意のこのような組み合わせ又はサブコンビネーションに対するクレームをサポートするものである。
【０１２３】
当業者であれば、ここで説明された実施形態が、上でここに具体的に示され説明されたものに限定されないことを十分に理解しているだろう。さらに、上で反対の言及がない限り、添付の図面の全てが正確な縮尺でないことに留意すべきである。様々な変更及び変形が、上述の教示に照らして、以下の特許請求の範囲から逸脱することなく可能である。
【図１】
2021525462.tif 000005
【図２】
2021525462.tif 000006
【図３】
2021525462.tif 000007
【図４】
2021525462.tif 000008
【図５】
2021525462.tif 000009
【図６】
2021525462.tif 000010
【図７】
2021525462.tif 000011
【図８】
2021525462.tif 000012
【図９】
2021525462.tif 000013
【図１０】
2021525462.tif 000014
【国際調査報告】
2021525462.tif 000015
2021525462.tif 000016
2021525462.tif 000017